(57)【要約】【課題】操作性のよいプリントシステム、操作システム、プリンタ及び端末を提供する。【解決手段】相互に無線で通信が可能なプリンタ及び端末を備え、端末からプリンタに無線でデータを送信して、プリンタでプリントするプリントシステムである。プリンタは、携帯可能なプリンタ本体と、プリンタ本体の動きを検出する動き検出部と、動き検出部で第１の動きが検出された場合に、第１の制御信号を端末に送信し、かつ、動き検出部で第２の動きが検出された場合に、第２の制御信号を端末に送信する制御信号送信部と、を備える。端末は、表示部と、表示部の表示を制御する表示制御部と、プリンタから制御信号を受信する制御信号受信部と、を備える。端末の表示制御部は、制御信号受信部が第１の制御信号を受信した場合、第１の操作画面を表示部に表示させる。制御信号受信部が第２の制御信号を受信した場合は、第２の操作画面を表示部に表示させる。【選択図】  図３４
2020160895.tif 000002
【特許請求の範囲】
【請求項１】
相互に無線で通信が可能なプリンタ及び端末を備え、前記端末から前記プリンタに無線でデータを送信して、前記プリンタでプリントするプリントシステムであって、
前記プリンタは、
携帯可能なプリンタ本体と、
前記プリンタ本体の動きを検出する動き検出部と、
前記動き検出部で第１の動きが検出された場合に、第１の制御信号を前記端末に送信し、かつ、前記動き検出部で第２の動きが検出された場合に、第２の制御信号を前記端末に送信する制御信号送信部と、
を備え、
前記端末は、
表示部と、
前記表示部の表示を制御する表示制御部と、
前記プリンタから制御信号を受信する制御信号受信部と、
を備え、
前記表示制御部は、前記制御信号受信部が前記第１の制御信号を受信した場合は、第１の操作画面を前記表示部に表示させ、前記制御信号受信部が前記第２の制御信号を受信した場合は、第２の操作画面を前記表示部に表示させる、
プリントシステム。
【請求項２】
前記プリンタ本体が、横置き及び縦置きが可能な場合において、
前記第１の動きが、前記プリンタ本体を横置きする動きであり、
前記第２の動きが、前記プリンタ本体を縦置きする動きである、
請求項１に記載のプリントシステム。
【請求項３】
前記プリンタは、
前記プリンタのステータス情報を取得するステータス情報取得部と、
前記動き検出部で第３の動きが検出された場合に、前記ステータス情報取得部で取得された前記ステータス情報を前記端末に送信するステータス情報送信部と、
を更に備え、
前記端末は、
前記プリンタから前記ステータス情報を受信するステータス情報受信部を更に備え、
前記表示制御部は、前記ステータス情報受信部が前記ステータス情報を受信した場合は、前記プリンタのステータス情報を前記表示部に表示させる、
請求項１又は２に記載のプリントシステム。
【請求項４】
前記プリンタのステータス情報には、プリント可能枚数の情報及びバッテリー残量の情報が含まれる、
請求項３に記載のプリントシステム。
【請求項５】
前記第３の動きが、前記プリンタを持ち上げる動きである、
請求項３に記載のプリントシステム。
【請求項６】
前記プリンタは、プリントした画像を記憶するプリント画像記憶部を更に備え、
前記プリンタのプリントを制御するプリント制御部は、前記動き検出部で第４の動きが検出された場合に、前回プリントした画像をリプリントする、
請求項１から５のいずれか１項に記載のプリントシステム。
【請求項７】
前記プリンタは、プリントした画像を記憶するプリント画像記憶部を更に備え、
前記プリンタのプリントを制御するプリント制御部は、前記動き検出部で第４の動きが検出され、かつ、前記プリンタ本体に備えられた操作部材が操作された場合に、前回プリントした画像をリプリントする、
請求項１から５のいずれか１項に記載のプリントシステム。
【請求項８】
前記第４の動きが、メディアの排出口を、一定時間以上、下に向ける動き又は下に向けて傾ける動きを含む、
請求項６又は７に記載のプリントシステム。
【請求項９】
前記プリンタは、
前記動き検出部で第５の動きが検出された場合に、電源をオフする電源制御部を更に備える、
請求項１から８のいずれか１項に記載のプリントシステム。
【請求項１０】
前記第５の動きが、前記プリンタ本体に備えられた電源ボタンを、一定時間以上、下に向ける動きである、
請求項９に記載のプリントシステム。
【請求項１１】
前記プリンタは、
発光部と、
前記発光部の発光を制御する発光制御部と、
を更に備え、
前記発光制御部は、前記動き検出部で特定の動きが検出された場合に、検出された動きに応じた発光色、及び／又は、発光パターンで前記発光部を発光させる、
請求項１から１０のいずれか１項に記載のプリントシステム。
【請求項１２】
前記プリンタは、
モードを設定するモード設定部と、
前記モード設定部でリモコンモードに設定された場合に、前記動き検出部で検出される動き、及び／又は、前記プリンタに備えられた操作部材の操作に応じた操作信号を前記端末に送信する操作信号送信部と、
を更に備え、
前記端末は、
前記プリンタから前記操作信号を受信する操作信号受信部と、
前記操作信号受信部で受信された前記操作信号に応じて前記端末の動作を制御する端末制御部と、
を更に備える、
請求項１から１１のいずれか１項に記載のプリントシステム。
【請求項１３】
前記端末は、
カメラ部を更に備え、
前記端末制御部は、前記操作信号に応じて前記カメラ部の動作を制御する、
請求項１２に記載のプリントシステム。
【請求項１４】
前記操作信号送信部は、前記動き検出部で第６の動きが検出された場合、及び／又は、前記プリンタに備えられた操作部材が操作された場合に、前記カメラ部のレリーズを動作させる操作信号を送信し、
前記端末制御部は、前記操作信号に応じて前記カメラ部のレリーズの動作を制御する、
請求項１３に記載のプリントシステム。
【請求項１５】
前記操作信号送信部は、前記動き検出部で第７の動きが検出された場合に、及び／又は、前記プリンタに備えられた操作部材が操作された場合に、
前記端末制御部は、前記操作信号に応じて前記カメラ部のズームの動作を制御する、
請求項１３又は１４に記載のプリントシステム。
【請求項１６】
前記第７の動きが、前記プリンタ本体を傾ける動きである、
請求項１５に記載のプリントシステム。
【請求項１７】
前記動き検出部が、加速度センサ及びジャイロセンサを含む複数のセンサを組み合わせて構成される、
請求項１から１６のいずれか１項に記載のプリントシステム。
【請求項１８】
カメラ部を備えた端末と、前記端末と無線で通信が可能な携帯電子機器と、を備え、
前記携帯電子機器は、
本体の動きを検出する動き検出部と、
前記動き検出部で検出された動きに応じた操作信号を前記端末に送信する操作信号送信部と、
を備え、
前記端末は、
前記携帯電子機器から前記操作信号を受信する操作信号受信部と、
前記操作信号受信部で受信された前記操作信号に応じて前記カメラ部の動作を制御する端末制御部と、
を備えた、
操作システム。
【請求項１９】
前記動き検出部で検出する動きが、前記本体を傾ける動きであり、
前記端末制御部は、前記操作信号受信部で受信された前記操作信号に応じて前記カメラ部のズームの動作を制御する、
請求項１８に記載の操作システム。
【請求項２０】
前記端末制御部は、更に、前記操作信号受信部で受信された前記操作信号に応じて前記カメラ部のレリーズの動作を制御する、
請求項１８又は１９に記載の操作システム。
【請求項２１】
前記操作信号送信部は、更に、前記本体に備えられた操作部材の操作に応じた操作信号を前記端末に送信し、
前記端末制御部は、前記操作部材の操作に基づく操作信号に応じて前記カメラ部のレリーズの動作を制御する、
請求項１８又は１９に記載の操作システム。
【請求項２２】
端末から無線で送信されるデータを受信してプリントするプリンタであって、
携帯可能なプリンタ本体と、
前記プリンタ本体の動きを検出する動き検出部と、
前記動き検出部で第１の動きが検出された場合に、前記端末の表示部に第１の操作画面を表示させる第１の制御信号を前記端末に送信し、かつ、前記動き検出部で第２の動きが検出された場合に、前記端末の前記表示部に第２の操作画面を表示させる第２の制御信号を前記端末に送信する制御信号送信部と、
を備えたプリンタ。
【請求項２３】
プリンタに無線でデータを送信して、前記プリンタにプリントさせる端末であって、
表示部と、
前記表示部の表示を制御する表示制御部と、
前記プリンタからプリンタ本体の動きに応じた制御信号を受信する制御信号受信部と、
を備え、
前記表示制御部は、前記制御信号受信部が前記プリンタ本体の第１の動きに応じた第１の制御信号を受信した場合は、第１の操作画面を前記表示部に表示させ、前記制御信号受信部が前記プリンタ本体の第２の動きに応じた第２の制御信号を受信した場合は、第２の操作画面を前記表示部に表示させる、
端末。
【発明の詳細な説明】
【技術分野】
【０００１】
本発明は、プリントシステム、操作システム、プリンタ及び端末に係り、特に、相互に無線で通信が可能なプリンタ及び端末を備えたプリントシステム、操作システム、プリンタ及び端末に関する。
【背景技術】
【０００２】
特許文献１には、キーボードを搭載したプリンタにおいて、プリンタの設置姿勢を検出し、検出された設置姿勢に応じて、プリンタの動作モードを自動で切り換える技術が記載されている。具体的には、プリンタが横置きされた場合は、キーボードから入力された情報をプリントするモードに設定し、縦置きされた場合は、スマートフォンなどの携帯端末から無線でプリントデータを受信してプリントするモードに設定することが記載されている。
【先行技術文献】
【特許文献】
【０００３】
【特許文献１】特開２０１７−１４４６６８号公報
【発明の概要】
【発明が解決しようとする課題】
【０００４】
スマートフォンなどの携帯端末は、年々高性能化しており、実行可能な機能も増えている。プリンタとの関係においても、単に保存されているデータをプリントするだけでなく、プリントするデータを加工したり、生成したりすることも可能になっている。
【０００５】
しかしながら、実行可能な機能が増えると、携帯端末の画面に表示すべき情報も増えるため、操作性が低下するという欠点がある。
【０００６】
本発明は、このような事情に鑑みてなされたもので、操作性のよいプリントシステム、操作システム、プリンタ及び端末を提供することを目的とする。
【課題を解決するための手段】
【０００７】
（１）相互に無線で通信が可能なプリンタ及び端末を備え、端末からプリンタに無線でデータを送信して、プリンタでプリントするプリントシステムであって、プリンタは、携帯可能なプリンタ本体と、プリンタ本体の動きを検出する動き検出部と、動き検出部で第１の動きが検出された場合に、第１の制御信号を端末に送信し、かつ、動き検出部で第２の動きが検出された場合に、第２の制御信号を端末に送信する制御信号送信部と、を備え、端末は、表示部と、表示部の表示を制御する表示制御部と、プリンタから制御信号を受信する制御信号受信部と、を備え、表示制御部は、制御信号受信部が第１の制御信号を受信した場合は、第１の操作画面を表示部に表示させ、制御信号受信部が第２の制御信号を受信した場合は、第２の操作画面を表示部に表示させる、プリントシステム。
【０００８】
（２）プリンタ本体が、横置き及び縦置きが可能な場合において、第１の動きが、プリンタ本体を横置きする動きであり、第２の動きが、プリンタ本体を縦置きする動きである、上記（１）のプリントシステム。
【０００９】
（３）プリンタは、プリンタのステータス情報を取得するステータス情報取得部と、動き検出部で第３の動きが検出された場合に、ステータス情報取得部で取得されたステータス情報を端末に送信するステータス情報送信部と、を更に備え、端末は、プリンタからステータス情報を受信するステータス情報受信部を更に備え、表示制御部は、ステータス情報受信部がステータス情報を受信した場合は、プリンタのステータス情報を表示部に表示させる、上記（１）又は（２）のプリントシステム。
【００１０】
（４）プリンタのステータス情報には、プリント可能枚数の情報及びバッテリー残量の情報が含まれる、上記（３）のプリントシステム。
【００１１】
（５）第３の動きが、プリンタを持ち上げる動きである、上記（３）のプリントシステム。
【００１２】
（６）プリンタは、プリントした画像を記憶するプリント画像記憶部を更に備え、プリンタのプリントを制御するプリント制御部は、動き検出部で第４の動きが検出された場合に、前回プリントした画像をリプリントする、上記（１）から（５）のいずれか一のプリントシステム。
【００１３】
（７）プリンタは、プリントした画像を記憶するプリント画像記憶部を更に備え、プリンタのプリントを制御するプリント制御部は、動き検出部で第４の動きが検出され、かつ、プリンタ本体に備えられた操作部材が操作された場合に、前回プリントした画像をリプリントする、上記（１）から（５）のいずれか一のプリントシステム。
【００１４】
（８）第４の動きが、メディアの排出口を、一定時間以上、下に向ける動き又は下に向けて傾ける動きを含む、上記（６）又は（７）のプリントシステム。
【００１５】
（９）プリンタは、動き検出部で第５の動きが検出された場合に、電源をオフする電源制御部を更に備える、上記（１）から（８）のいずれか一のプリントシステム。
【００１６】
（１０）第５の動きが、プリンタ本体に備えられた電源ボタンを、一定時間以上、下に向ける動きである、上記（９）のプリントシステム。
【００１７】
（１１）プリンタは、発光部と、発光部の発光を制御する発光制御部と、を更に備え、発光制御部は、動き検出部で特定の動きが検出された場合に、検出された動きに応じた発光色、及び／又は、発光パターンで発光部を発光させる、上記（１）から（１０）のいずれか一のプリントシステム。
【００１８】
（１２）プリンタは、モードを設定するモード設定部と、モード設定部でリモコンモードに設定された場合に、動き検出部で検出される動き、及び／又は、プリンタに備えられた操作部材の操作に応じた操作信号を端末に送信する操作信号送信部と、を更に備え、端末は、プリンタから操作信号を受信する操作信号受信部と、操作信号受信部で受信された操作信号に応じて端末の動作を制御する端末制御部と、を更に備える、上記（１）から（１１）のいずれか一のプリントシステム。
【００１９】
（１３）端末は、カメラ部を更に備え、端末制御部は、操作信号に応じてカメラ部の動作を制御する、上記（１２）のプリントシステム。
【００２０】
（１４）操作信号送信部は、動き検出部で第６の動きが検出された場合、及び／又は、プリンタに備えられた操作部材が操作された場合に、カメラ部のレリーズを動作させる操作信号を送信し、端末制御部は、操作信号に応じてカメラ部のレリーズの動作を制御する、上記（１３）のプリントシステム。
【００２１】
（１５）操作信号送信部は、動き検出部で第７の動きが検出された場合に、及び／又は、プリンタに備えられた操作部材が操作された場合に、端末制御部は、操作信号に応じてカメラ部のズームの動作を制御する、上記（１３）又は（１４）のプリントシステム。
【００２２】
（１６）第７の動きが、プリンタ本体を傾ける動きである、上記（１５）のプリントシステム。
【００２３】
（１７）動き検出部が、加速度センサ及びジャイロセンサを含む複数のセンサを組み合わせて構成される、上記（１）から（１６）のいずれか一のプリントシステム。
【００２４】
（１８）カメラ部を備えた端末と、端末と無線で通信が可能な携帯電子機器と、を備え、携帯電子機器は、本体の動きを検出する動き検出部と、動き検出部で検出された動きに応じた操作信号を端末に送信する操作信号送信部と、を備え、端末は、携帯電子機器から操作信号を受信する操作信号受信部と、操作信号受信部で受信された操作信号に応じてカメラ部の動作を制御する端末制御部と、を備えた、操作システム。
【００２５】
（１９）動き検出部で検出する動きが、本体を傾ける動きであり、端末制御部は、操作信号受信部で受信された操作信号に応じてカメラ部のズームの動作を制御する、上記（１８）の操作システム。
【００２６】
（２０）端末制御部は、更に、操作信号受信部で受信された操作信号に応じてカメラ部のレリーズの動作を制御する、上記（１８）又は（１９）の操作システム。
【００２７】
（２１）操作信号送信部は、更に、本体に備えられた操作部材の操作に応じた操作信号を端末に送信し、端末制御部は、操作部材の操作に基づく操作信号に応じてカメラ部のレリーズの動作を制御する、上記（１８）又は（１９）の操作システム。
【００２８】
（２２）端末から無線で送信されるデータを受信してプリントするプリンタであって、携帯可能なプリンタ本体と、プリンタ本体の動きを検出する動き検出部と、動き検出部で第１の動きが検出された場合に、端末の表示部に第１の操作画面を表示させる第１の制御信号を端末に送信し、かつ、動き検出部で第２の動きが検出された場合に、端末の表示部に第２の操作画面を表示させる第２の制御信号を端末に送信する制御信号送信部と、を備えたプリンタ。
【００２９】
（２３）プリンタに無線でデータを送信して、プリンタにプリントさせる端末であって、表示部と、表示部の表示を制御する表示制御部と、プリンタからプリンタ本体の動きに応じた制御信号を受信する制御信号受信部と、を備え、表示制御部は、制御信号受信部がプリンタ本体の第１の動きに応じた第１の制御信号を受信した場合は、第１の操作画面を表示部に表示させ、制御信号受信部がプリンタ本体の第２の動きに応じた第２の制御信号を受信した場合は、第２の操作画面を表示部に表示させる、端末。
【発明の効果】
【００３０】
本発明によれば、操作性のよいプリントシステム、操作システム、プリンタ及び端末を提供できる。
【図面の簡単な説明】
【００３１】
【図１】プリントシステムのシステム構成の一例を示す図
【図２】プリンタの外観構成の一例を示す正面斜視図
【図３】図２に示すプリンタの背面斜視図
【図４】プリンタのプリント部の概略構成を示す断面図
【図５】フィルムパックの斜視図
【図６】インスタントフィルムの正面図
【図７】インスタントフィルムの背面図
【図８】プリンタの電気的構成を示すブロック図
【図９】プリンタマイコンが実現する主な機能のブロック図
【図１０】スマートフォンのハードウェア構成の一例を示すブロック図
【図１１】画像のプリントに関してスマートフォンが有する主な機能のブロック図
【図１２】プリントアプリ起動時におけるトップ画面の表示の処理手順を示すフローチャート
【図１３】第１のトップ画面の一例を示す図
【図１４】第２のトップ画面の一例を示す図
【図１５】画像選択画面の一例を示す図
【図１６】プリント画像確認画面の一例を示す図
【図１７】拡大及び回転操作画面の一例を示す図
【図１８】フィルター操作画面の一例を示す図
【図１９】画質補正操作画面の一例を示す図
【図２０】プリントを指示した場合のアニメーション表示の一例を示す図
【図２１】テンプレートプリント選択画面の一例を示す図
【図２２】テンプレートプリントでのプリント画像確認画面の一例を示す図
【図２３】テンプレート切り換え操作画面の一例を示す図
【図２４】操作領域に表示される選択ボタンのスクロールの概念図
【図２５】分割フレーム選択画面の一例を示す図
【図２６】コラージュ画像作成画面の一例を示す図
【図２７】画像選択後のコラージュ画像作成画面の一例を示す図
【図２８】分割フレーム切り換え操作画面の一例を示す図
【図２９】レイアウト選択画面の一例を示す図
【図３０】組み写真におけるプリント画像確認画面の一例を示す図
【図３１】テンプレート切り換え操作画面の一例を示す図
【図３２】撮影操作画面の一例を示す図
【図３３】ステータス情報の表示の一例を示す図
【図３４】プリンタ本体の動きとスマートフォンのタッチパネルの表示の関係を示す表
【図３５】プリンタのプリンタマイコンが実現する主な機能のブロック図
【図３６】プリンタ本体の動きとプリンタの動作との関係を示す表
【図３７】プリンタのプリンタマイコンが実現する主な機能のブロック図
【図３８】リモコンモードにおけるプリンタ本体の動きとスマートフォンのカメラ動作との関係を示す表
【図３９】トップ画面の切り換わりのアニメーション表示の一例を示す図
【図４０】フリック操作によりプリントを指示する場合の操作の概念図
【図４１】プリントのキャンセルの指示入力を受け付ける画面の一例を示す図
【図４２】操作のガイド画面の一例を示す図
【図４３】通信接続ボタンの表示の一例を示す図
【発明を実施するための形態】
【００３２】
以下、添付図面に従って本発明の好ましい実施の形態について詳説する。
【００３３】
［第１の実施の形態］
［プリントシステム］
図１は、本実施の形態のプリントシステムのシステム構成の一例を示す図である。
【００３４】
同図に示すように、本実施の形態のプリントシステムは、相互に無線で通信が可能なプリンタ１０及びスマートフォン１００を備え、スマートフォン１００からプリンタ１０にプリントデータを送信して、プリンタ１０でプリントするシステムとして構成される。スマートフォン１００は、端末の一例である。
【００３５】
プリンタ１０は、持ち運びが可能なモバイルプリンタで構成される。また、プリンタ１０は、インスタントフィルム１２に画像をプリントするインスタントプリンタで構成される。インスタントフィルム１２には、シートフィルム方式（モノシートタイプともいう）が使用される。
【００３６】
プリンタ１０及びスマートフォン１００は、ワイヤレスで接続される。プリンタ１０とスマートフォン１００との間の通信は、たとえば、Ｂｌｕｅｔｏｏｔｈ（登録商標）、ＷｉＦｉ（Wireless Fidelity）等の近距離無線通信で行われる。
【００３７】
［プリンタの外観構成］
図２は、プリンタの外観構成の一例を示す正面斜視図である。図３は、図２に示すプリンタの背面斜視図である。
【００３８】
上記のように、プリンタ１０は、インスタントプリンタ（インスタントフィルムにプリントするプリンタ）で構成される。インスタントフィルム１２は、複数枚がケースに収容されたフィルムパック（図５参照）の状態でプリンタ１０に装填される。
【００３９】
プリンタ１０のボディを構成するプリンタ本体１４は、丸みを帯びた平たい矩形の箱型の形状を有し、片手で把持して、持ち運びが可能（携帯可能）に構成される。また、プリンタ本体１４は、縦置き（平坦な場所に立てて置くこと）及び横置き（平坦な場所に寝かせて置くこと）が可能に構成される。図１及び図２は、プリンタ１０を縦置きした場合を示している。
【００４０】
プリンタ本体１４の正面側には、ほぼ中央の位置に押下式の電源ボタン１６が備えられる。プリンタ１０は、この電源ボタン１６の長押し（一定時間以上押し続ける操作）によって、電源がオン及びオフされる。電源ボタン１６は、発光部を兼ね、その内側に備えられた光源部を発光させることにより、発光する。電源ボタン１６は、プリンタ本体１４に備えられる操作部材の一例である。
【００４１】
プリンタ本体１４の上部（縦置きした場合の上部）には、排出口１８が備えられる。プリントされたインスタントフィルム１２は、この排出口１８から排出される。
【００４２】
プリンタ本体１４の背面側には、フィルムパック装填室（図４参照）を開閉するフィルムパック蓋２０が備えられる。また、そのフィルムパック蓋２０のロックを解除するロック解除レバー２２が備えられる。ロック解除レバー２２でロックを解除して、フィルムパック蓋２０を開けると、フィルムパック装填室が開放される。インスタントフィルムパックを装填後、フィルムパック蓋２０を閉めると、図示しないロック機構によって、フィルムパック蓋２０がロックされ、フィルムパックが遮光状態で密閉される。
【００４３】
プリンタ本体１４の一方の側部には、ＵＳＢ（Universal Serial Bus）ケーブルの接続部（不図示）を開閉するＵＳＢケーブル接続部カバー２４が備えられる。プリンタ１０は、このＵＳＢケーブル接続部カバー２４を開けることで露出するＵＳＢケーブルの接続部を介して内蔵するバッテリーが充電される。
【００４４】
［プリンタのプリント部の構成］
図４は、プリンタのプリント部の概略構成を示す断面図である。なお、同図は、プリンタを横置きした状態を示している。
【００４５】
同図に示すように、プリンタ１０は、その内部にフィルムパック装填室３０、フィルムパック装填室３０に装填されたフィルムパックからインスタントフィルム１２を送り出すフィルム送出機構３２、フィルムパックから送り出されたインスタントフィルム１２を搬送するフィルム搬送機構３４、インスタントフィルム１２に画像を記録するプリントヘッド３６等を備える。フィルム送出機構３２、フィルム搬送機構３４及びプリントヘッド３６は、プリンタ１０のプリント部を構成する。
【００４６】
フィルムパック装填室３０は、フィルムパック４０が嵌まる凹部として構成され、フィルムパック蓋２０によって開閉される。
【００４７】
図５は、フィルムパックの斜視図である。また、図６は、インスタントフィルムの正面図であり、図７は、インスタントフィルムの背面図である。なお、図５から図７において、矢印Ｆで示す方向は、インスタントフィルム１２の送り方向である。インスタントフィルム１２は、矢印Ｆで示す方向に送られてケース４２から排出される。
【００４８】
インスタントフィルム１２は、矩形のカード形状を有する。インスタントフィルム１２は、一方側の面が露光面（露光により像を記録する面）１２ａ、他方側の面が観察面（記録された像を観察する面）１２ｂとして構成される。
【００４９】
図７に示すように、インスタントフィルム１２の露光面１２ａには、露光領域１２ｃ、ポッド部１２ｄ、及び、トラップ部１２ｆが備えられる。露光領域１２ｃは、露光により画像を記録する領域である。露光領域１２ｃが、インスタントフィルム１２のプリント可能領域となる。露光領域１２ｃを挟んで、ポッド部１２ｄとトラップ部１２ｆとが送り方向Ｆの前後に配置される。ポッド部１２ｄは、露光領域１２ｃに対して送り方向Ｆの前側に配置される。ポッド部１２ｄには、現像処理液を内包した現像処理液ポッド１２ｅが内蔵される。トラップ部１２ｆは、露光領域１２ｃに対して送り方向Ｆの後側に配置される。トラップ部１２ｆには、吸収材１２ｇが内蔵される。
【００５０】
図６に示すように、インスタントフィルム１２の観察面１２ｂには、観察領域１２ｈが備えられる。観察領域１２ｈは、画像が表示される領域である。露光領域１２ｃを現像処理することにより、観察領域１２ｈに画像が表示される。観察領域１２ｈは、露光領域１２ｃに対応して配置される。観察領域１２ｈの周囲には、枠１２ｉが備えられる。したがって、画像は枠内に表示される。また、観察領域１２ｈは、露光領域１２ｃよりも若干狭く設定される（一回り小さく設定される。）。したがって、露光領域１２ｃの全域に画像を記録した場合、周囲がトリミングされた画像がプリントされる。
【００５１】
なお、インスタントフィルム１２は、トラップ部１２ｆが上、ポッド部１２ｄが下となる向きで観賞する。したがって、画像は、トラップ部１２ｆが上、ポッド部１２ｄが下となる向きでプリントされる。
【００５２】
インスタントフィルム１２は、露光後、ポッド部１２ｄの現像処理液を露光領域１２ｃに展開させることにより現像処理される。ポッド部１２ｄの現像処理液は、インスタントフィルム１２を展開ローラ対３４Ｂの間に通すことで、ポッド部１２ｄから絞り出され、露光領域１２ｃに展開される。展開処理時に余った現像処理液が、トラップ部１２ｆで捕捉される。
【００５３】
ケース４２は、矩形の箱形状を有する。ケース４２は、正面部分に矩形状の露光用開口４２ａを有する。また、ケース４２は、天面部分にスリット状のフィルム排出口４２ｂを有する。インスタントフィルム１２は、露光面１２ａをケース４２の正面側（露光用開口４２ａ側）に向け、かつ、ポッド部１２ｄをケース４２の天面側（フィルム排出口４２ｂ側）に向けて、ケース内に重ねて収容される。また、ケース４２は、底面部分にスリット状のクロー開口部４２ｃを有する。ケース４２に収容されたインスタントフィルム１２は、このクロー開口部４２ｃからクロー３２ａを進入させることにより、１枚ずつフィルム排出口４２ｂに向けて送られ、フィルム排出口４２ｂから排出される。
【００５４】
１つのフィルムパック４０には、複数枚（たとえば１０枚）のインスタントフィルム１２が積層されて収容される。
【００５５】
フィルム送出機構３２は、フィルムパック装填室３０に装填されたフィルムパック４０からインスタントフィルム１２を１枚ずつ送り出す。フィルム送出機構３２は、インスタントフィルム１２の送り方向に沿って前後移動するクロー３２ａを備える。フィルム送出機構３２は、そのクロー３２ａによってケース内のインスタントフィルム１２を１枚ずつ掻き出して、インスタントフィルム１２をフィルムパック４０から送り出す。
【００５６】
フィルム搬送機構３４は、フィルム送出機構３２によってフィルムパック４０から送り出されたインスタントフィルム１２を一定速度で搬送する。フィルム搬送機構３４は、搬送ローラ対３４Ａ及び展開ローラ対３４Ｂを備える。搬送ローラ対３４Ａは、図示しないモータに駆動されて回転し、インスタントフィルム１２の両サイドを挟持して搬送する。展開ローラ対３４Ｂは、図示しないモータに駆動されて回転し、インスタントフィルム１２の全体を挟持して搬送する。インスタントフィルム１２は、展開ローラ対３４Ｂによって搬送される過程でポッド部１２ｄが押し潰されて、現像処理される。
【００５７】
プリントヘッド３６は、フィルムパック４０から送り出されたインスタントフィルム１２に画像を記録する。プリントヘッド３６は、ライン型の露光ヘッドで構成される。プリントヘッド３６は、フィルム搬送機構３４によって搬送されるインスタントフィルム１２の露光面１２ａに１ラインずつプリント光を照射し、シングルパスでインスタントフィルム１２に画像を記録する。
【００５８】
［プリンタの電気的構成］
図８は、プリンタの電気的構成を示すブロック図である。
【００５９】
同図に示すように、プリンタ１０は、電源ボタン１６の操作を検出する操作検出部５０、電源ボタン１６を発光させる光源部５２、アンテナ５６Ａを介してスマートフォン１００と無線で通信する無線通信部５６、プリンタ１０の各部に電源を供給する電源部５８、画像データ等を記憶するプリンタ記憶部６２、プリンタ１０の動きを検出する動き検出部６６、フィルム送出機構３２を駆動するフィルム送出機構駆動部６８、フィルム搬送機構３４を駆動するフィルム搬送機構駆動部７０、プリントヘッド３６を駆動するプリントヘッド制御部７２及びプリンタマイコン８０等を備える。
【００６０】
操作検出部５０は、電源ボタン１６の操作を検出する。電源ボタン１６は、押しボタンで構成され、長押しでプリンタ１０の電源がオン及びオフされる。電源がオンされている間、電源ボタン１６には、リプリントの指示を入力する機能が割り当てられる。リプリントとは、最後にプリントした画像を再度プリントする機能である。操作検出部５０は、プリンタ１０の電源がオンされている間、電源ボタン１６の短押し（押して直ぐ離す操作）を検出して、その検出信号をプリンタマイコン８０に出力する。
【００６１】
光源部５２は、光源及びその制御回路を含む。光源には、発光色の切り換えが可能なものが使用される。本実施の形態のプリンタ１０では、Ｒ（red；赤）、Ｇ（green；緑）及びＢ（blue；青）の三色の素子を備えた三色ＬＥＤ（フルカラーＬＥＤともいう）が光源として使用される。三色ＬＥＤは、Ｒ、Ｇ及びＢの三色の混合比を選択することによって、その発光色を切り換えられる。光源には、この他、ＯＬＥＤ（Organic Light Emitting Diode）等のＥＬ光源（electroluminescent source）を採用できる。
【００６２】
光源部５２は、電源ボタン１６の内側に配置される（図４参照）。電源ボタン１６は、全体又は一部が透明又は半透明で構成される。電源ボタン１６は、光源部５２を発光させると、その透明部分又は半透明部分から光が透過して、発光する。
【００６３】
無線通信部５６は、プリンタマイコン８０による制御の下、アンテナ５６Ａを介して外部機器（たとえば、スマートフォン１００）と無線で通信する。
【００６４】
電源部５８は、電源としてのバッテリー及びその制御回路を含む。電源部５８は、プリンタマイコン８０による制御の下、プリンタ１０の各部に電源を供給する。バッテリーは、充電が可能な二次電池で構成され、外部から電源の供給を受けて充電される。また、電源部５８は、バッテリーの残量を検出する機能（バッテリー残量検出部の機能）を有する。
【００６５】
プリンタ記憶部６２は、メモリ及びその制御回路を含む。プリンタ記憶部６２は、プリントした画像の画像データ及びプリンタ１０の設定データ等が記憶される。メモリは、たとえば、ＥＥＰＲＯＭ（Electrically Erasable Programmable Read-only Memory）等の不揮発性メモリで構成される。プリンタ記憶部６２は、プリント画像記憶部の一例である。
【００６６】
プリントした画像の画像データは、あらかじめ設定された枚数分だけ記憶される。記憶可能な枚数の上限に達すると、古い順に消去される。最小の記憶枚数は１である。すなわち、少なくとも最後にプリントされた画像の画像データは記憶される。この場合、プリントするたびにデータが書き換えられる。
【００６７】
動き検出部６６は、プリンタ本体１４の動きを検出する。動き検出部６６は、たとえば、モーションセンサで構成される。モーションセンサ自体は公知であるので、その詳細についての説明は省略する。一般にモーションセンサは、加速度センサ及びジャイロセンサ等を組み合わせて構成される。動き検出部６６によって、プリンタ本体１４の姿勢（縦置き、横置き、傾き等）、移動（持ち上げる、下に置く、引っくり返す等）等が検出される。
【００６８】
フィルム送出機構駆動部６８は、フィルム送出機構３２のクロー３２ａを駆動するモータ、及び、その駆動回路を含み、プリンタマイコン８０からの指令に応じて、フィルム送出機構３２を駆動する。
【００６９】
フィルム搬送機構駆動部７０は、フィルム搬送機構３４の搬送ローラ対３４Ａを駆動するモータ及びその駆動回路、並びに、展開ローラ対３４Ｂを駆動するモータ及びその駆動回路を含み、プリンタマイコン８０からの指令に応じて、フィルム搬送機構３４を駆動する。
【００７０】
プリントヘッド制御部７２は、プリントヘッド３６の制御回路を含み、プリンタマイコン８０からの指令に応じて、プリントヘッド３６を動作させる。
【００７１】
プリンタマイコン８０は、プリンタ１０の動作を統括制御する制御部である。プリンタマイコン８０は、ＣＰＵ（Central Processing Unit）、ＲＯＭ（Read Only Memory）及びＲＡＭ（Random Access Memory）を備えたマイクロコンピュータで構成され、所定の制御プログラムを実行することにより、種々の機能を実現する。
【００７２】
図９は、プリンタマイコンが実現する主な機能のブロック図である。
【００７３】
プリンタマイコン８０は、主として、画像取得部８０Ａ、プリントデータ生成部８０Ｂ、プリント制御部８０Ｃ、代表色検出部８０Ｄ、発光制御部８０Ｅ、電源制御部８０Ｆ、制御信号送信部８０Ｇ、ステータス情報取得部８０Ｈ及びステータス情報送信部８０Ｉ等として機能する。
【００７４】
画像取得部８０Ａは、無線通信部５６を介して、スマートフォン１００と無線で通信し、スマートフォン１００からプリントする画像の画像データを取得する。リプリントする場合は、最後にプリントした画像の画像データをプリンタ記憶部６２から読み出して取得する。
【００７５】
プリントデータ生成部８０Ｂは、画像取得部８０Ａで取得した画像データをプリント部でプリント可能なデータ形式（プリントヘッド３６によってインスタントフィルム１２にプリント可能なデータ形式）に変換して、プリント用のデータ（プリントデータ）を生成する。
【００７６】
プリント制御部８０Ｃは、フィルム送出機構駆動部６８を介して、フィルム送出機構３２によるインスタントフィルム１２の送り出しを制御する。また、フィルム搬送機構駆動部７０を介して、フィルム搬送機構３４によるインスタントフィルム１２の搬送を制御する。更に、プリントヘッド制御部７２を介して、プリントヘッド３６の駆動を制御する。プリントヘッド３６は、プリントデータ生成部８０Ｂで生成されたプリントデータに基づいて、インスタントフィルム１２の搬送に同期して駆動が制御される。
【００７７】
また、プリント制御部８０Ｃは、プリント可能枚数（フィルム残数）を検出する機能（プリント可能枚数検出部の機能）を有する。プリント可能枚数は、フィルムパックを装填した後の総プリント枚数をカウントすることによって検出する。フィルムパックには、規定枚数（たとえば、１０枚）のインスタントフィルム１２が収容されているので、フィルムパックを装填した後の総プリント枚数をカウントすることによって、プリント可能枚数を検出できる。すなわち、使用開始前のフィルムパックに装填されているインスタントフィルム１２の総数からプリントした枚数を差し引いた値がプリント可能枚数（フィルム残数）となる。
【００７８】
代表色検出部８０Ｄは、プリントする画像の代表色を検出する。プリントする画像の代表色とは、プリントする画像において中心的に用いられている色のことである。代表色検出部８０Ｄは、たとえば、プリントする画像全体の色分布を求め、最も広い面積を占める色を代表色として検出する。たとえば、画面全体がオレンジ色に染まった夕焼けの画像については、オレンジ色が代表色として検出される。また、たとえば、草原の画像については、グリーンが代表色として検出される。なお、代表色検出部８０Ｄは、光源部５２において再現可能な色域の範囲で代表色を検出する。また、代表色については、プリントする画像の一部から求めてもよいし、プリントする画像を複数の領域に分割して求めてもよい。一部の領域から求める場合は、たとえば、画像の中央に検出領域を設定し、当該検出領域から代表色を検出する。また、画像を複数の領域に分割して求める場合は、たとえば、プリントする画像を上下方向に複数の領域に等分割（たとえば、三等分割）し、各領域から代表色を検出する。
【００７９】
発光制御部８０Ｅは、光源部５２の発光を制御し、発光部である電源ボタン１６を所定の色及びパターンで発光させる。発光制御部８０Ｅは、あらかじめ定められたタイミングで電源ボタン１６を発光させる。たとえば、スマートフォン１００からプリントする画像のデータを受信する場合、及び、画像をプリントする場合に電源ボタン１６を発光させる。スマートフォン１００からプリントする画像を受信する場合は、あらかじめ定められた複数の色を一定の時間間隔で順番に切り換えて発光させる。たとえば、赤色、オレンジ色、黄色、緑色、水色、青色及び紫色の７色（いわゆる虹色）を一定の時間間隔で順番に切り換えて発光させる。発光は、画像を受信している間、継続して行われる。一方、画像をプリントする場合は、代表色検出部８０Ｄで検出された代表色を発光させる。発光は、画像をプリントしている間、継続して行われる。なお、画像を複数の領域に分割して代表色を求めた場合は、求めた代表色を順番に切り換えて発光させる。たとえば、プリントする画像を上下方向に三等分割して各領域から代表色を検出した場合、各領域で検出された代表色を上から順番に一定の時間間隔で発光させる。黒及びグレー等の無彩色が代表色として検出された場合は、特定の色で代替して発光させる。あるいは、特定の発光パターンで発光させる（たとえば、赤色、オレンジ色、黄色、緑色、水色、青色及び紫色の７色（いわゆる虹色）を一定の時間間隔で順番に切り換えて発光させる。あるいは、特定の色を点滅させる（たとえば、白を点滅させる。）。）。あるいは、発光を停止する。
【００８０】
電源制御部８０Ｆは、電源部５８を制御し、各部への電源の供給及びバッテリーの充電を制御する。プリンタ１０の電源のオン及びオフは、この電源制御部８０Ｆで制御される。電源制御部８０Ｆは、操作検出部５０からの出力に基づいて、プリンタ１０の電源をオン及びオフする。
【００８１】
制御信号送信部８０Ｇは、動き検出部６６の検出結果に基づいて、所定の制御信号をスマートフォン１００に無線で送信する。すなわち、動き検出部６６で所定の動きが検出されると、その動きに応じた制御信号を生成し、無線通信部５６を介して、スマートフォン１００に無線で送信する。スマートフォン１００は、この制御信号を受信することで、所定の動作を実行する。具体的には、動き検出部６６によって、プリンタ本体１４を横置きする動き（第１の動き）が検出されると、第１の制御信号をスマートフォン１００に送信する。また、動き検出部６６によって、プリンタ本体１４を縦置きする動き（第２の動き）が検出されると、第２の制御信号をスマートフォン１００に送信する。スマートフォン１００は、第１の制御信号を受信すると、トップ画面として、所定の画面構成の第１のトップ画面（第１の操作画面）をタッチパネル１２０に表示する。一方、第２の制御信号を受信すると、トップ画面として、所定の画面構成の第２のトップ画面（第２の操作画面）をタッチパネル１２０に表示する。この点については、後に詳述する。なお、トップ画面（ホーム画面ともいう）とは、アプリケーションプログラムを起動した際に最初に表示される画面である。トップ画面には、実行可能な機能のボタン等が表示される。
【００８２】
ステータス情報取得部８０Ｈは、プリンタ１０のステータス情報を取得する。プリンタ１０のステータス情報には、プリント可能枚数の情報及びバッテリー残量の情報が含まれる。ステータス情報取得部８０Ｈは、電源部５８からバッテリー残量の情報を取得する。また、プリント制御部８０Ｃからプリント可能枚数の情報を取得する。
【００８３】
ステータス情報送信部８０Ｉは、動き検出部６６の検出結果に基づいて、ステータス情報取得部８０Ｈで取得されたステータス情報をスマートフォン１００に送信する。すなわち、動き検出部６６で所定の動きが検出されると、ステータス情報取得部８０Ｈで取得されたステータス情報をスマートフォン１００に送信する。具体的には、動き検出部６６によって、プリンタ本体１４を持ち上げる動き（第３の動き）が検出されると、ステータス情報をスマートフォン１００に送信する。この点については、後に詳述する。
【００８４】
［スマートフォン］
図１０は、スマートフォンのハードウェア構成の一例を示すブロック図である。
【００８５】
同図に示すように、スマートフォン１００は、全体の動作を制御するＣＰＵ１０１、基本入出力プログラム等を記憶したＲＯＭ１０２、ＣＰＵ１０１のワークエリアとして使用されるＲＡＭ１０３、内蔵メモリ１０４、ディスプレイ１０５、ディスプレイ画面へのタッチ操作（位置入力）を検出するタッチパッド１０６、ＧＰＳ（Global Positioning Systems）衛星又は屋内ＧＰＳとしてのＩＭＥＳ（Indoor MEssaging System）によってスマートフォン１００の位置情報（緯度、経度及び高度）を含んだＧＰＳ信号を受信するＧＰＳ受信部１０７、撮影レンズ及びイメージセンサを含み、画像を電子的に撮影するインカメラ部１０８Ａ（タッチパネル１２０の画面側に備えられるカメラ部）及びアウトカメラ部１０８Ｂ（タッチパネル１２０の画面とは反対側の面（背面）に備えられるカメラ部）、マイクロフォンを含み、音声を入力するマイク部１０９、スピーカを含み、音声を出力するスピーカ部１１０、アンテナ１１１Ａを利用して最寄りの基地局等と無線で通信する無線通信部１１１、アンテナ１１２Ａを利用して外部機器（たとえば、プリンタ１０等）と近距離無線通信する近距離無線通信部１１２、地磁気センサ、ジャイロコンパス、加速度センサ等の各種センサを含むセンサ部１１３、メモリカード１１５へのデータの読み書きを行うメディアドライブ１１４等を備える。内蔵メモリ１０４は、ＥＥＰＲＯＭ等の不揮発性メモリで構成される。内蔵メモリ１０４には、オペレーティングシステムを含む各種プログラム（たとえば、表示制御プログラム等）の他、インカメラ部１０８Ａ及びアウトカメラ部１０８Ｂで撮影した画像の画像データ及び他の機器から取得した画像データ等の各種データが記憶される。ディスプレイ１０５及びタッチパッド１０６は、タッチパネル１２０を構成する。
【００８６】
タッチパネル１２０の画面は長方形状である。スマートフォン１００は、タッチパネル１２０の画面が縦になる向き（画面の長手方向が鉛直方向に沿う向き）を通常の使用形態とする。本実施の形態のスマートフォン１００では、タッチパネル１２０の画面長手方向を縦方向（図中Ｙ方向）とし、縦方向と直交する方向（図中Ｘ方向）、すなわち、画面の短辺の方向を幅方向とする。
【００８７】
スマートフォン１００は、プリンタ１０との関係において、インカメラ部１０８Ａ又はアウトカメラ部１０８Ｂで撮影した画像をプリンタ１０にプリントさせる機能、内蔵メモリ１０４に記録されている画像をプリンタ１０にプリントさせる機能、及び、プリンタ１０の状態（たとえば、バッテリー残量及びプリント可能枚数等）を確認する機能等を有する。また、画像のプリントに関連して、プリントする画像を加工編集等する機能を有する。
【００８８】
図１１は、画像のプリントに関してスマートフォンが有する主な機能のブロック図である。
【００８９】
同図に示すように、スマートフォン１００は、画像のプリントに関して、タッチパネル１２０の表示を制御する表示制御部１００Ａ、タッチパネル１２０への入力を制御する入力制御部１００Ｂ、プリントする画像の撮影を制御する撮影制御部１００Ｃ、プリントする画像の再生を制御する再生制御部１００Ｄ、プリントする画像を加工編集する画像処理部１００Ｅ、及び、プリンタ１０との間の通信を制御する通信制御部１００Ｆ等の機能を有する。これらの機能は、ＣＰＵ１０１が、所定のプログラムを実行することによって実現される。
【００９０】
表示制御部１００Ａは、タッチパネル１２０の画面の表示を制御して、画像をプリントする際の操作画面をタッチパネル１２０に表示させる。表示制御部１００Ａは、表示部であるディスプレイ１０５の表示を制御して、タッチパネル１２０の画面の表示を制御する。後述する操作画面の表示は、この表示制御部１００Ａによって制御される。
【００９１】
入力制御部１００Ｂは、タッチパネル１２０への操作入力を制御して、画像をプリントする際の操作の入力を制御する。入力制御部１００Ｂは、タッチパネル１２０の位置入力部であるタッチパッド１０６の入力を制御して、タッチパネル１２０への操作入力を制御する。
【００９２】
撮影制御部１００Ｃは、タッチパネル１２０への操作入力に基づいて、インカメラ部１０８Ａ及びアウトカメラ部１０８Ｂを制御し、プリントする画像の撮影を制御する。
【００９３】
再生制御部１００Ｄは、タッチパネル１２０への操作入力に基づいて、内蔵メモリ１０４へのアクセスを制御し、プリントする画像の再生を制御する。
【００９４】
画像処理部１００Ｅは、タッチパネル１２０への操作入力に基づいて、プリントする画像を加工編集する。たとえば、画像の拡大（トリミング）、画像の回転、フィルター加工、テンプレート合成及びコラージュなどの画像処理を行って、プリントする画像を加工編集する。なお、フィルター加工とは、画像の色調を変化させたり、画像を変形させたりする機能をいう。たとえば、色調補正、ノイズ除去、モザイク処理及びエンボスなどである。テンプレート合成とは、画像にテンプレート画像を合成して合成画像を生成する処理のことである。また、ここでのコラージュとは、内部が複数の領域に分割されたフレーム（分割フレーム）の各領域に画像を当てはめて一枚の合成画像を生成する処理のことである。生成される合成画像をコラージュ画像と呼ぶ。
【００９５】
通信制御部１００Ｆは、タッチパネル１２０への操作入力に基づいて、近距離無線通信部１１２を制御し、プリンタ１０との間の通信を制御する。スマートフォン１００からプリンタ１０には、プリントする画像のデータ及びそのプリント指令等が送信される。一方、プリンタ１０からスマートフォン１００には、ステータス情報及び制御信号等が送信される。通信制御部１００Ｆは、プリンタ１０から送信されるステータス情報を受信するステータス情報受信部、及び、プリンタ１０から送信される制御信号を受信する制御信号受信部として機能する。
【００９６】
［画像のプリント方法］
［トップ画面の表示］
スマートフォン１００に保存されている画像及びスマートフォン１００で撮影した画像等をプリンタ１０でプリントする場合は、スマートフォン側で所定のアプリケーションプログラム（以下、プリントアプリと呼ぶ）を起動する。
【００９７】
プリントアプリを起動すると、スマートフォン１００の画面には、トップ画面が表示される。上記のように、トップ画面は、二種類存在する（第１のトップ画面及び第２のトップ画面）起動時のプリンタ１０の姿勢に応じて、いずれか一方のトップ画面が表示される。すなわち、プリンタ本体１４が縦置きされている場合は第１のトップ画面が表示され、横置きされている場合は第２のトップ画面が表示される。
【００９８】
図１２は、プリントアプリ起動時におけるトップ画面の表示の処理手順を示すフローチャートである。
【００９９】
スマートフォン１００において、プリントアプリを起動させると（ステップＳ１）、まず、プリンタ１０との間で通信設定が行われる（ステップＳ２）。すなわち、接続可能なプリンタ１０が検出され、検出されたプリンタ１０との間で近距離無線通信による接続を確立させる処理が行われる。プリンタ１０の側においても、同様にスマートフォン１００との間で近距離無線通信による接続を確立させる処理が行われる（ステップＳ３）。
【０１００】
近距離無線通信による接続が確立すると、プリンタ１０の側において、プリンタ１０の動き（設置姿勢）が検出される（ステップＳ４）。ここでは、プリンタ本体１４が縦置き（第１の動き）されているか、横置き（第２の動き）されているかが検出される。そして、その検出結果に基づいて、制御信号が生成され（ステップＳ５）、スマートフォン１００に送信される（ステップＳ６）。設置姿勢として、縦置き（第１の動き）の状態が検出された場合は、第１の制御信号が送信される。一方、設置姿勢として、横置き（第２の動き）の状態が検出された場合は、第２の制御信号が送信される。
【０１０１】
スマートフォン１００は、プリンタ１０から送信される制御信号を受信する（ステップＳ７）。そして、受信した制御信号に基づいて、トップ画面として表示させる画面を選択する。この場合、まず、受信した制御信号が、第１の制御信号か否かを判定する（ステップＳ８）。受信した制御信号が、第１の制御信号の場合、第１のトップ画面２００Ａ（図１３参照）をタッチパネル１２０に表示させる（ステップＳ９）。一方、受信した制御信号が、第２の制御信号の場合、第２のトップ画面２００Ｂ（図１４参照）をタッチパネル１２０に表示させる（ステップＳ１０）。
【０１０２】
［第１のトップ画面及び第２のトップ画面の画面構成］
図１３は、第１のトップ画面の一例を示す図である。また、図１４は、第２のトップ画面の一例を示す図である。
【０１０３】
図１３及び図１４に示すように、第１のトップ画面２００Ａ及び第２のトップ画面２００Ｂは、同じ項目が異なるレイアウトで表示される。表示される項目は、プリントアプリで実行可能な機能のボタン、プリントアプリの設定ボタン、プリンタ１０のステータス情報、及び、最後にプリントした画像である。
【０１０４】
プリントアプリで実行可能な機能のボタンは、「かんたんプリント」の機能のボタンであるかんたんプリントボタンＭＢ１、「動画プリント」の機能のボタンである動画プリントボタンＭＢ２、「カメラ」の機能のボタンであるカメラボタンＭＢ３、「相性診断」の機能のボタンである相性診断ボタンＭＢ４、「テンプレートプリント」の機能のボタンであるテンプレートプリントボタンＭＢ５、「コラージュプリント」の機能のボタンであるコラージュプリントボタンＭＢ６、「組み写真」の機能のボタンである組み写真ボタンＭＢ７である。
【０１０５】
「かんたんプリント」の機能とは、スマートフォン１００に保存されている画像（静止画）をプリントする機能である。本機能は、画面上でかんたんプリントボタンＭＢ１をタッチすることで起動する。
【０１０６】
「動画プリント」の機能とは、動画から１シーンを抽出してプリントする機能である。本機能は、画面上で動画プリントボタンＭＢ２をタッチすることで起動する。
【０１０７】
「カメラ」の機能とは、スマートフォン１００のカメラ機能を使用して撮影し、撮影した画像をプリンタ１０でプリントする機能である。本機能は、画面上でカメラボタンＭＢ３をタッチすることで起動する。
【０１０８】
「相性診断」の機能とは、画像から相性診断を行う機能である。たとえば、学習済みモデルを利用して画像を解析し、画像に写されている人物（二人）の相性を診断する。本機能は、画面上で相性診断ボタンＭＢ４をタッチすることで起動する。
【０１０９】
「テンプレートプリント」の機能とは、画像にテンプレート画像を合成し、プリントする機能である。本機能は、画面上でテンプレートプリントボタンＭＢ５をタッチすることで起動する。
【０１１０】
「コラージュプリント」の機能とは、コラージュ画像を生成してプリントする機能である。上記のようにコラージュ画像は、内部が複数の領域に分割されたフレーム（分割フレーム）の各領域に画像を当てはめて生成される。本機能は、画面上でコラージュプリントボタンＭＢ６をタッチすることで起動する。
【０１１１】
「組み写真」の機能とは、１つの画像を複数に分割してプリントする機能である。本機能は、組み写真ボタンＭＢ７を画面上でタッチすることで起動する。
【０１１２】
各機能のボタンは、アイコンで表示される。すなわち、図、記号又は絵柄を組み合わせて表示される。本実施の形態では、円と絵柄を組み合わせた図形で各機能のボタンが構成されている。円は、ボタンの外形を規定する。
【０１１３】
プリンタ１０のステータス情報としては、接続されているプリンタ１０の名称（たとえば、機種名）、プリント可能枚数（フィルム残数）の情報及びバッテリー残量の情報が表示される。プリント可能枚数は、プリント可能枚数をＮ、新品のフィルムパックに装填されているインスタントフィルム１２の総数をＭとすると、「Ｎ／Ｍ」の形式で表示される。すなわち、フィルムパックを交換してからプリントした枚数も分かる形式で表示される。バッテリー残量の情報は、図形で表示される。
【０１１４】
最後にプリントした画像ＬＩＭは、画像表示枠ＦＬＯの内側に表示される。画像表示枠ＦＬＯは、インスタントフィルム１２を模した画像で構成される。すなわち、インスタントフィルム１２の観察領域１２ｈの周囲に備えられた枠１２ｉを模した図形で構成される。画像表示枠ＦＬＯの内側の領域は、画像表示領域として構成される。最後にプリントした画像ＬＩＭは、この画像表示領域に嵌め込まれて表示される。
【０１１５】
図１３及び図１４に示すように、第１のトップ画面２００Ａ及び第２のトップ画面２００Ｂにおいて、各機能のボタンは、２つのグループ（第１グループＭＧ１及び第２グループＭＧ２）にグループ分けされて表示される。
【０１１６】
第１グループＭＧ１は、かんたんプリント、動画プリント及びカメラの各機能のボタンが属するグループである。第１グループＭＧ１は、プリントモードのグループであり、画像を簡単にプリントする機能のグループである。
【０１１７】
第２グループＭＧ２は、相性診断、テンプレートプリント、コラージュプリント及び組み写真の各機能のボタンが属するグループである。第２グループＭＧ２は、プレイモードのグループであり、遊びの要素及び作品造りの要素を含んだ機能のグループである。
【０１１８】
第１グループＭＧ１に属するボタン（かんたんプリントボタンＭＢ１、動画プリントボタンＭＢ２及びカメラボタンＭＢ３）は、図１３及び図１４において、破線で示す第１グループ表示領域ＭＡ１に表示される。
【０１１９】
一方、第２グループＭＧ２に属するボタン（相性診断ボタンＭＢ４、テンプレートプリントボタンＭＢ５、コラージュプリントボタンＭＢ６及び組み写真ボタンＭＢ７）は、図１３及び図１４において、破線で示す第２グループ表示領域ＭＡ２に表示される。
【０１２０】
第１グループ表示領域ＭＡ１は、画面下部に横方向（Ｘ方向）に沿って設定される。一方、第２グループ表示領域ＭＡ２は、画面右端に縦方向（Ｙ方向）に沿って設定される。
【０１２１】
第１グループ表示領域ＭＡ１、及び、その第１グループ表示領域ＭＡ１に表示されるボタン群（かんたんプリントボタンＭＢ１、動画プリントボタンＭＢ２及びカメラボタンＭＢ３）は、第１のトップ画面２００Ａ及び第２のトップ画面２００Ｂでサイズが変化する。すなわち、第１のトップ画面２００Ａでは、図１３に示すように、小さなサイズで表示され、第２のトップ画面２００Ｂでは、図１４に示すように、大きなサイズで表示される。より具体的には、図１４に示すように、第２のトップ画面２００Ｂでは、画面下部の幅方向（Ｘ方向）の全域が第１グループ表示領域ＭＡ１とされるのに対して、第１のトップ画面２００Ａでは、図１３に示すように、その幅が縮む（画面左方向に縮む）。これに伴い、各ボタンのサイズも縮小する。
【０１２２】
また、第１グループ表示領域ＭＡ１、及び、その第１グループ表示領域ＭＡ１に表示されるボタン群は、第１のトップ画面２００Ａ及び第２のトップ画面２００Ｂで色が変化する。図１３及び図１４では、色を反転して表示した場合の例を示している。
【０１２３】
同様に、第２グループ表示領域ＭＡ２、及び、その第２グループ表示領域ＭＡ２に表示されるボタン群（相性診断ボタンＭＢ４、テンプレートプリントボタンＭＢ５、コラージュプリントボタンＭＢ６及び組み写真ボタンＭＢ７）は、第１のトップ画面２００Ａ及び第２のトップ画面２００Ｂでサイズが変化する。すなわち、第１のトップ画面２００Ａでは、図１３に示すように、大きなサイズで表示され、第２のトップ画面２００Ｂでは、図１４に示すように、小さなサイズで表示される。より具体的には、図１３に示すように、第１のトップ画面２００Ａでは、画面右端の縦方向（Ｙ方向）の全域が第２グループ表示領域ＭＡ２とされるのに対して、第２のトップ画面２００Ｂでは、図１３に示すように、その長さが縮む（画面上方向に縮む）。これに伴い、各ボタンのサイズも縮小する。
【０１２４】
また、第１グループ表示領域ＭＡ１と同様に、第２グループ表示領域ＭＡ２、及び、その第２グループ表示領域ＭＡ２に表示されるボタン群は、第１のトップ画面２００Ａ及び第２のトップ画面２００Ｂで色が変化する。図１３及び図１４では、色を反転して表示した場合の例を示している。
【０１２５】
プリントアプリの設定ボタンＳＥＢは、図１３に示すように、第１のトップ画面２００Ａでは、第２グループ表示領域ＭＡ２に表示される。一方、第２のトップ画面２００Ｂでは、図１４に示すように、第１グループ表示領域ＭＡ１に表示される。
【０１２６】
プリンタのステータス情報は、ステータス情報表示領域ＭＡ３に表示される。ステータス情報表示領域ＭＡ３は、第１のトップ画面２００Ａ及び第２のトップ画面２００Ｂにおいて、同じ位置に設定される。図１３及び図１４に示すように、ステータス情報表示領域ＭＡ３は、画面上部に設定される。
【０１２７】
最後にプリントした画像は、画像表示枠ＦＬＯの内側に表示される。画像表示枠ＦＬＯは、第１グループ表示領域ＭＡ１の上側、かつ、第２グループ表示領域ＭＡ２の左側の領域に表示される。画像表示枠ＦＬＯは、図１３に示すように、第１のトップ画面２００Ａでは、傾けて表示される。一方、第２のトップ画面２００Ｂでは、画面に沿ってまっすぐに表示される。
【０１２８】
なお、未プリントの状態では、画像表示枠ＦＬＯの内側が空欄とされる。あるいは、規定の画像が表示される。なお、プリントアプリの設定で、最後にプリントした画像の表示のオン及びオフを設定できる。また、常に規定の画像（たとえば、ユーザーが選択した画像）を表示させることもできる。
【０１２９】
このように、２つのトップ画面を用意し、必要に応じて表示を切り換えることにより、操作性を向上できる。すなわち、簡単にプリントしたい場合は、これらの機能のボタン（かんたんプリントボタンＭＢ１、動画プリントボタンＭＢ２及びカメラボタンＭＢ３）が、目立つように大きく表示された第２のトップ画面２００Ｂを選択して表示させる。一方、コラージュ等の作品造り等をしたい場合は、これらの機能のボタン（相性診断ボタンＭＢ４、テンプレートプリントボタンＭＢ５、コラージュプリントボタンＭＢ６及び組み写真ボタンＭＢ７）が、目立つように大きく表示された第１のトップ画面２００Ａを選択して表示させる。これにより、操作性を向上できる。スマートフォンなどの画面の小さな携帯端末においても、ユーザーに分かりやすく、良好な操作性を確保できる。また、トップ画面の切り換えは、プリンタ本体１４の設置姿勢を変えるだけで行うことができるため、その操作も簡単に行うことができる。通常、この種の操作は、アプリケーションプログラムの設定で行われる。本実施の形態のシステムによれば、そのような面倒な設定操作を行うことなく、簡単にトップ画面を切り換えることができる。
【０１３０】
（Ａ）［かんたんプリントの機能を使用したプリント］
以下においては、かんたんプリントの機能を使用して、スマートフォン１００に保存されている画像をプリントする場合の手順について説明する。
【０１３１】
大まかな処理手順は、（１）プリントする画像の選択、（２）プリントの指示である。必要に応じて、画像の加工編集が行われる。
【０１３２】
［画像選択画面］
トップ画面（第１のトップ画面２００Ａ又は第２のトップ画面２００Ｂ）において、かんたんプリントボタンＭＢ１がタッチされると、かんたんプリントの機能が起動する。
【０１３３】
かんたんプリントの機能が起動すると、タッチパネル１２０の画面が、画像選択画面２０１に切り換わる。この画面は、プリントする画像を選択する画面である。
【０１３４】
図１５は、画像選択画面の一例を示す図である。
【０１３５】
図１５に示すように、画像選択画面２０１では、スマートフォン１００に保存されている画像がサムネイル形式で一覧表示される。すなわち、画像を縮小した形式で一覧表示される。ユーザーは、プリントする画像のサムネイル画像を画面上でタッチして、プリントする画像を選択する。
【０１３６】
なお、図１５では、スマートフォン１００に保存されているすべての画像を一覧表示する場合の例を示している。この他、指定されたフォルダ内の画像のみを表示する形式としてもよい。
【０１３７】
また、画像選択画面２０１には、図１５に示すように、キャンセルボタン２０１Ａが表示される。キャンセルボタン２０１Ａは、画像選択処理のキャンセルを指示するボタンである。キャンセルボタン２０１Ａがタッチされると、かんたんプリントの機能は終了する。この場合、画面の表示が、トップ画面２００に切り換わる。
【０１３８】
［プリント画像確認画面］
プリントする画像が選択されると、タッチパネル１２０の画面が、プリント画像確認画面２０２に切り換わる。この画面は、プリントする画像（プリント画像）を確認するための画面である。
【０１３９】
図１６は、プリント画像確認画面の一例を示す図である。
【０１４０】
図１６に示すように、プリント画像確認画面２０２には、プリント画像ＰＩ、そのプリント画像ＰＩのプリントを指示するプリントボタンＰＢ、及び、画像編集のメニューボタン等が表示される。
【０１４１】
プリント画像ＰＩは、画面内に設定された画像表示領域ＥＡ１に表示される。画像表示領域ＥＡ１の周囲には、画像表示領域ＥＡ１に表示された画像（プリント画像ＰＩ）を囲う枠ＦＬが表示される。この枠ＦＬは、インスタントフィルム１２を模した画像で構成される。すなわち、インスタントフィルム１２の観察領域１２ｈの周囲に備えられた枠１２ｉを模した図形で構成される（プリントした結果物（プリント物）と同じ余白で構成される。）。これにより、最終的なプリント結果を画面上で確認しやすくできる。
【０１４２】
プリントボタンＰＢ及び画像編集のメニューボタン（拡大＆回転ボタンＥＢ１、フィルターボタンＥＢ２、画質補正ボタンＥＢ３）は、ボタン表示領域ＥＡ２に表示される。ボタン表示領域ＥＡ２は、画面の下部に設定される。プリントボタンＰＢ及び画像編集のメニューボタン（拡大＆回転ボタンＥＢ１、フィルターボタンＥＢ２、画質補正ボタンＥＢ３）は、このボタン表示領域ＥＡ２において、画面の幅方向（図１６においてＸ方向）に沿って一列に並べて表示される。この際、プリントボタンＰＢが幅方向（Ｘ方向）の中央に配置され、その両側に３つ画像編集のメニューボタン（拡大＆回転ボタンＥＢ１、フィルターボタンＥＢ２、画質補正ボタンＥＢ３）が配置されて表示される。
【０１４３】
プリントボタンＰＢ及び画像編集のメニューボタン（拡大＆回転ボタンＥＢ１、フィルターボタンＥＢ２、画質補正ボタンＥＢ３）は、それぞれアイコンで表示される。また、中央のプリントボタンＰＢについては、他のボタン（拡大＆回転ボタンＥＢ１、フィルターボタンＥＢ２、画質補正ボタンＥＢ３）よりも大きなサイズで構成される（ボタンを構成する画像部分のサイズが大きいサイズで構成される。）。更に、本実施の形態では、プリントボタンＰＢの色を他のボタンと異なる色で構成している。具体的には、他のボタンは白色で構成しているのに対して、プリントボタンＰＢは赤色で構成している。これにより、プリントの指示操作を分かりやすくできる。なお、他のボタンは、選択（タッチ）されると、色が変化する。これにより、選択された機能を明確にできる。
【０１４４】
画像編集のメニューボタン（拡大＆回転ボタンＥＢ１、フィルターボタンＥＢ２、画質補正ボタンＥＢ３）については、その下部にメニュータイトルが表示される。なお、図１６では、画像編集のメニューとして、拡大及び回転の機能、フィルターの機能、及び、画質補正の機能が用意されている場合の例を示している。
【０１４５】
拡大及び回転の機能とは、画像を拡大及び回転させる機能である。拡大及び回転の機能は、拡大＆回転ボタンＥＢ１に割り当てられる。拡大＆回転ボタンＥＢ１を画面上でタッチすると、拡大及び回転の機能が起動し、プリント画像ＰＩに対する画像の拡大及び回転が可能になる。
【０１４６】
フィルターの機能とは、画像にフィルター加工を施す機能である。フィルターの機能のボタンは、フィルターボタンＥＢ２に割り当てられる。フィルターボタンＥＢ２を画面上でタッチすると、フィルターの機能が起動し、プリント画像ＰＩに対するフィルター加工が可能になる。
【０１４７】
画質補正の機能とは、画像の明るさ、コントラスト及び彩度を補正する機能である。画質補正の機能は、画質補正ボタンＥＢ３に割り当てられる。画質補正ボタンＥＢ３を画面上でタッチすると、画質補正の機能が起動し、プリント画像ＰＩに対して、画質補正（画像の明るさ、コントラスト及び彩度の補正）が可能になる。
【０１４８】
各機能は、対応する各ボタンを画面上でタッチするとオン（起動）され、再度タッチするとオフされる。また、一つの機能が起動中に他の機能のボタンがタッチされると、タッチされた機能に切り換わる。たとえば、フィルターの機能が起動中に画質補正ボタンＥＢ３がタッチされると、フィルターの機能は終了し、画質補正の機能がオンされる。
【０１４９】
図１６に示すように、プリント画像確認画面２０２には、バックボタンＢＢ及びトップボタンＴＢが表示される。バックボタンＢＢは、一つ前の画面に戻ることを指示するボタンである。トップボタンＴＢは、トップ画面２００に戻ることを指示するボタンである。バックボタンＢＢ及びトップボタンＴＢが、画面の上部に配置される。
【０１５０】
トップ画面に戻る場合は、プリンタ本体１４の設置姿勢に応じたトップ画面が表示される。すなわち、プリンタ本体１４が縦置きされている場合は、第１のトップ画面２００Ａ（図１３参照）が表示され、横置きされている場合は、第２のトップ画面２００Ｂ（図１４参照）が表示される。この場合、まず、スマートフォン１００からプリンタ１０に対して、設置姿勢の検出指令が出力される。プリンタ１０は、この検出指令を受信することにより、プリンタ本体１４の設置姿勢を検出する。そして、検出した設置姿勢に応じた制御信号を生成し、スマートフォン１００に送信する。スマートフォン１００は、プリンタ１０から送信された制御信号を受信し、表示させるトップ画面を決定する。
【０１５１】
［拡大及び回転操作画面］
画面上で拡大＆回転ボタンＥＢ１がタッチされると、拡大及び回転の機能の操作画面、すなわち、画像の拡大操作及び回転操作を行う操作画面（拡大＆回転操作画面）２０３に切り換わる。
【０１５２】
図１７は、拡大及び回転操作画面の一例を示す図である。
【０１５３】
拡大及び回転操作画面２０３では、プリント画像確認画面２０２での表示内容に加えて、拡大操作用の拡大用スライドバーＳＢ１及び回転操作用の回転用スライドバーＳＢ２が表示される。
【０１５４】
拡大用スライドバーＳＢ１は、そのノブＮＢ１をスライドさせて操作する（ノブＮＢ１をタッチしてスライドさせる）。拡大用スライドバーＳＢ１を操作すると、その操作量に応じて、画像が拡大する。プリント画像ＰＩは、ノブＮＢ１を画面右方向にスライドさせると拡大し、左方向にスライドさせると縮小する。
【０１５５】
回転用スライドバーＳＢ２は、そのノブＮＢ２をスライドさせて操作する。回転用スライドバーＳＢ２を操作すると、その操作量に応じて画像が回転する。プリント画像ＰＩは、ノブＮＢ２を画面右方向にスライドさせると時計回りに回転し、左方向にスライドさせると反時計回りに回転する。ノブＮＢ２をバーの左端から右端までスライドさせると、画像が一回転する。
【０１５６】
拡大用スライドバーＳＢ１及び回転用スライドバーＳＢ２は、操作領域ＥＡ３に表示される。操作領域ＥＡ３は、画面の縦方向（Ｙ方向）において、画像表示領域ＥＡ１及びボタン表示領域ＥＡ２の間に設定される。図１７に示すように、拡大用スライドバーＳＢ１及び回転用スライドバーＳＢ２は、この領域に上下に並べて配置される。また、拡大用スライドバーＳＢ１及び回転用スライドバーＳＢ２は、共に円弧状に湾曲した形状で表示される。より具体的には、画面の幅方向（Ｘ方向）の中心を通る直線上に設定された点を中心とする円に沿って表示され、かつ、画面の幅方向の中心を通る直線を基準として左右対称に表示される。このように、円弧状に湾曲させて表示することにより、直線として表示させる場合に比べて、全体の長さを長くできる。これにより、操作の分解能を向上でき、より細かな操作が可能になる。このことは、画面の表示サイズが小さい場合に特に有効に作用する。
【０１５７】
［フィルター操作画面］
画面上でフィルターボタンＥＢ２がタッチされると、フィルターの機能の操作画面、すなわち、画像にフィルター加工を施す操作の操作画面（フィルター操作画面）２０４に切り換わる。
【０１５８】
図１８は、フィルター操作画面の一例を示す図である。
【０１５９】
フィルター操作画面２０４では、プリント画像確認画面２０２での表示内容に加えて、適用するフィルターの選択ボタンが表示される。図１８は、選択ボタンとして、４つのボタンを表示させた場合の例を示している。具体的には、ノーマルの状態に戻すノーマルボタンＦＢ１、モノクロフィルターを適用するモノクロボタンＦＢ２、セピアフィルターを適用するセピアボタンＦＢ３、及び、オートフィルターを適用するオートボタンＦＢ４を表示した場合の例を示している。
【０１６０】
ここで、モノクロフィルターとは、画像を白黒でモノクローム化するフィルターである。画面上でモノクロボタンＦＢ２がタッチされると、画像表示領域ＥＡ１に表示されているプリント画像ＰＩが白黒でモノクローム化される。
【０１６１】
セピアフィルターとは、画像の色調をセピア調にするフィルターである。画面上でセピアボタンＦＢ３がタッチされると、画像表示領域ＥＡ１に表示されているプリント画像ＰＩの色調がセピア調にされる。
【０１６２】
オートフィルターとは、画像の色調を自動で最適化するフィルターである。画面上でオートボタンＦＢ４がタッチされると、画像表示領域ＥＡ１に表示されているプリント画像ＰＩの色調が自動で補正される。
【０１６３】
画面でノーマルボタンＦＢ１がタッチされると、適用されたフィルターがキャンセルされ、オリジナルの状態に復帰する。
【０１６４】
フィルターの選択ボタン（ノーマルボタンＦＢ１、モノクロボタンＦＢ２、セピアボタンＦＢ３、オートボタンＦＢ４）は、画像表示領域ＥＡ１に表示されるプリント画像ＰＩの外形に対応した長方形状を有する。より具体的には、プリント画像ＰＩの外形と相似形状を有する（ほぼ相似と認められる形状を含む）。
【０１６５】
また、各ボタンには、適用されるフィルターと同じフィルター加工が施された共通の画像が表示される。たとえば、モノクロボタンＦＢ２を構成する画像には、白黒でもクローム化された画像が表示される。
【０１６６】
更に、各ボタンは、操作領域ＥＡ３に展開して表示され、画面の幅方向の中心を通る直線上に設定された点を中心として放射状に表示される。このように、放射状に表示することにより、直線状に並べて表示させる場合に比べて、表示できるボタンの数、サイズを大きくできる。これにより、操作性を向上できる。なお、一画面に表示させるボタンの数は、円弧の曲率を調整することで調整できる。すなわち、同じボタンのサイズであれば、曲率を大きくするほど（湾曲を大きくするほど）、一度に表示できるボタンの増やすことができる。
【０１６７】
［画質補正操作画面］
画面上で画質補正ボタンＥＢ３がタッチされると、画質補正の機能の操作画面、すなわち、画像の明るさ、コントラスト及び彩度の補正操作を行う操作画面（画質補正操作画面）２０５に切り換わる。
【０１６８】
図１９は、画質補正操作画面の一例を示す図である。
【０１６９】
画質補正操作画面２０５では、プリント画像確認画面２０２での表示内容に加えて、画像の明るさを調整する明るさ調整用スライドバーＳＢ３、画像のコントラストを調整するコントラスト調整用スライドバーＳＢ４、画像の彩度を調整する彩度調整用スライドバーＳＢ５、及び、リセットボタンＲＳＢが表示される。
【０１７０】
明るさ調整用スライドバーＳＢ３は、そのノブＮＢ３をスライドさせて操作する。明るさ調整用スライドバーＳＢ３を操作すると、その操作量に応じて、画像の明るさが変化する。ノブＮＢ３は、デフォルトでバーの中央に位置する。プリント画像ＰＩは、ノブＮＢ３を画面右方向にスライドさせると、明るくなり、左方向にスライドさせると、暗くなる。
【０１７１】
コントラスト調整用スライドバーＳＢ４は、そのノブＮＢ４をスライドさせて操作する。コントラスト調整用スライドバーＳＢ４を操作すると、その操作量に応じて、画像のコントラストが変化する。ノブＮＢ４は、デフォルトでバーの中央に位置する。プリント画像ＰＩは、ノブＮＢ４を画面右方向にスライドさせると、コントラストが高くなり、左方向にスライドさせると、コントラストが低くなる。
【０１７２】
彩度調整用スライドバーＳＢ５は、そのノブＮＢ５をスライドさせて操作する。彩度調整用スライドバーＳＢ５を操作すると、その操作量に応じて、画像の彩度が変化する。ノブＮＢ５は、デフォルトでバーの中央に位置する。プリント画像ＰＩは、ノブＮＢ５を画面右方向にスライドさせると、彩度が高くなり、左方向にスライドさせると、彩度が低くなる。
【０１７３】
リセットボタンＲＳＢは、各スライドバー（明るさ調整用スライドバーＳＢ３、コントラスト調整用スライドバーＳＢ４及び彩度調整用スライドバーＳＢ５）の操作をリセットするボタンである。リセットボタンＲＳＢが、タッチされると、各スライドバーの操作がリセットされる。すなわち、各スライドバーのノブがデフォルトの位置（中央）に復帰する。
【０１７４】
各スライドバー（明るさ調整用スライドバーＳＢ３、コントラスト調整用スライドバーＳＢ４及び彩度調整用スライドバーＳＢ５）、及び、リセットボタンＲＳＢは、操作領域ＥＡ３に表示される。図１９に示すように、各スライドバーは、この領域に上下に並べて配置される。また、各スライドバーは、共に円弧状に湾曲した形状で表示される。より具体的には、幅方向の中心を通る直線上に設定された点を中心とする円に沿って表示され、かつ、幅方向の中心を通る直線を基準として左右対称に表示される。これにより、操作の分解能を向上でき、より細かな操作が可能になる。リセットボタンＲＳＢは、操作領域Ｅ３の右端に配置される。
【０１７５】
［プリントを実行した場合の操作画面］
画面上でプリントボタンＰＢをタッチすると、画像表示領域ＥＡ１に表示されたプリント画像ＰＩのプリントが指示される。プリントが指示されると、プリンタ１０にプリント画像ＰＩの画像データが送信される。
【０１７６】
プリント画像ＰＩの送信が実行されると、画像送信のイメージが、アニメーションで表示される。具体的には、プリント画像ＰＩが枠ＦＬと共に移動し、画面の縁から消えてゆくイメージがアニメーションで表示される。
【０１７７】
図２０は、プリントを指示した場合のアニメーション表示の一例を示す図である。
【０１７８】
プリントを指示すると、時系列順に画面が、画面２０６Ａ、画面２０６Ｂ、画面２０６Ｃと変化する。同図に示すように、プリント画像ＰＩが、枠ＦＬと共に画面の長手方向に沿って上方に移動し、画面の上縁から消えてゆく（インスタントフィルムが送られる映像を模したもの）。これにより、画像がプリンタに送信されたことを認識しやすくできる。
【０１７９】
（Ｂ）［テンプレートプリントの機能を使用したプリント］
以下においては、テンプレートプリントの機能を使用して、スマートフォン１００に保存された画像をプリントする場合の手順について説明する。上記のように、テンプレートプリントでは、画像にテンプレート画像を合成してプリントする。大まかな処理手順は、（１）テンプレートの選択、（２）プリントする画像の選択、（３）プリントの指示である。必要に応じて、画像の加工編集が行われる。
【０１８０】
［テンプレート選択画面］
トップ画面（図１３及び図１４参照）において、テンプレートプリントボタンＭＢ５がタッチされると、テンプレートプリントの機能が起動する。テンプレートプリントの機能が起動すると、タッチパネル１２０の画面が、テンプレート選択画面２１０に切り換わる。この画面は、プリントする画像に合成するテンプレート画像を選択する画面である。
【０１８１】
図２１は、テンプレートプリント選択画面の一例を示す図である。
【０１８２】
同図に示すように、テンプレート選択画面２１０では、使用可能なテンプレート画像が、サムネイル形式で一覧表示される。ユーザーは、希望する絵柄のテンプレート画像を画面上でタッチして選択する。
【０１８３】
［画像選択画面］
テンプレート選択画面２１０において、使用するテンプレート画像が選択されると、タッチパネル１２０の画面が、画像選択画面２０１に切り換わる（図１５参照）。ユーザーは、この画面でプリントする画像を選択する。
【０１８４】
［プリント画像確認画面］
プリントする画像が選択されると、タッチパネル１２０の画面が、プリント画像確認画面２０２に切り換わる。この画面は、プリントする画像（プリント画像）を確認するための画面である。
【０１８５】
図２２は、テンプレートプリントでのプリント画像確認画面の一例を示す図である。
【０１８６】
画像編集のメニューボタンとして、テンプレートボタンＥＢ４が追加されている点以外は、かんたんプリントのプリント画像確認画面２０２の画面構成と同じである。テンプレートボタンＥＢ４は、テンプレート画像を切り換える機能を呼び出すボタンである。
【０１８７】
［テンプレート切り換え操作画面］
拡大及び回転の機能、フィルターの機能及び画質補正の機能は、かんたんプリントの場合と同じなので、ここでは、テンプレート画像の切り換え機能について説明する。
【０１８８】
テンプレートボタンＥＢ４がタッチされると、テンプレート画像の切り換え操作を行う操作画面（テンプレート切り換え操作画面）２１２に切り換わる。
【０１８９】
図２３は、テンプレート切り換え操作画面の一例を示す図である。
【０１９０】
テンプレート切り換え操作画面２１２では、プリント画像確認画面２０２での表示内容に加えて、切り換え可能なテンプレート画像の選択ボタンＴＢ１、ＴＢ２、…が表示される。ユーザーは、切り換えを希望するテンプレート画像の選択ボタンを画面上でタッチして選択する。
【０１９１】
各ボタンは、そのボタンによって選択されるテンプレート画像を縮小した画像で構成される。したがって、その外形は、プリント画像ＰＩの外形と相似形状を有する（ほぼ相似と認められる形状を含む）。
【０１９２】
テンプレート画像の選択ボタンＴＢ１、ＴＢ２、…は、フィルターの選択ボタンと同様に、操作領域ＥＡ３に展開表示され、画面の幅方向の中心を通る直線上に設定された点を中心として放射状に表示される。
【０１９３】
なお、操作領域ＥＡ３には、一定数の選択ボタンＴＢ１、ＴＢ２、…が表示される。図２３は、一度に４つの選択ボタンを表示させる場合（ボタンの全体を表示できる数が４つの場合）の例を示している。その他の選択ボタンについては、スクロールさせて表示する。スクロールは、操作領域ＥＡ３に表示された選択ボタン上で画面をスワイプ操作又はフリック操作することによって行われる。ここで、スワイプ操作とは、画面に触れた状態で指を滑らせる操作のことである。フリック操作とは、スワイプをより勢いよく行い、画面を弾くようにして、指を滑らせつつ画面から離す操作のことである。
【０１９４】
図２４は、操作領域に表示される選択ボタンのスクロールの概念図である。
【０１９５】
同図に示すように、操作領域ＥＡ３に表示される選択ボタンＴＢ１、ＴＢ２、…は、画面を右方向にスワイプ操作又はフリック操作することにより、円弧に沿って右方向（矢印Ｒ＋方向）にスクロールする（時計回りにスクロールする。）。また、画面を左方向にスワイプ操作又はフリック操作することにより、円弧に沿って左方向（矢印Ｒ−方向）にスクロールする（反時計回りにスクロールする。）。
【０１９６】
［プリントを実行した場合の操作画面］
プリントの実行は、かんたんプリントの場合と同じである。すなわち、画面上でプリントボタンＰＢをタッチして、プリントを指示する。プリントが指示されると、プリンタ１０にプリント画像ＰＩの画像データが送信される。画像送信のイメージが、アニメーションで表示される点は、かんたんプリントの場合と同様である（図２０参照）。
【０１９７】
（Ｃ）［コラージュプリントの機能を使用したプリント］
以下においては、コラージュプリントの機能を使用して、スマートフォン１００に保存されている画像をプリントする場合の手順について説明する。上記のように、コラージュプリントでは、分割フレームの各領域に画像を当てはめてプリントする。その大まかな処理手順は、（１）分割フレームの選択、（２）合成する画像の選択、（３）プリントの指示である。必要に応じて、合成する画像の加工編集が行われる。
【０１９８】
［分割フレーム選択画面］
トップ画面（図１３及び図１４参照）において、コラージュプリントボタンＭＢ６がタッチされると、コラージュプリントの機能が起動する。コラージュプリントの機能が起動すると、タッチパネル１２０の画面が、分割フレーム選択画面２２０に切り換わる。この画面は、分割フレームを選択する画面である。
【０１９９】
図２５は、分割フレーム選択画面の一例を示す図である。
【０２００】
同図に示すように、分割フレーム選択画面２２０では、選択可能な分割フレームの画像（フレーム内の分割の態様を示した画像）が、サムネイル形式で一覧表示される。ユーザーは、希望する分割フレームの画像を画面上でタッチして選択する。
【０２０１】
［コラージュ画像作成画面］
分割フレーム選択画面２２０において、使用する分割フレームが選択されると、タッチパネル１２０の画面が、コラージュ画像作成画面２２１に切り換わる。この画面は、コラージュ画像を作成する画面である。
【０２０２】
図２６は、コラージュ画像作成画面の一例を示す図である。
【０２０３】
選択した分割フレームに応じて画像表示領域ＥＡ１の内部が分割される点、分割の境界線の表示のオン及びオフを切り換える境界線ボタンＦＢＢが表示される点、及び、画像編集のメニューボタンとして、分割フレームボタンＥＢ５が追加されている点以外は、かんたんプリントのプリント画像確認画面２０２の画面構成と同じである。
【０２０４】
画像表示領域ＥＡ１は、その内部の領域が、選択した分割フレームに応じて分割される。境界線ボタンＦＢＢは、その分割の境界線ＦＢＬの表示をオン及びオフする。ユーザーが、境界線ボタンＦＢＢを画面上でタッチするたびにオン及びオフが切り換わる。境界線ボタンＦＢＢをオンすると、画像表示領域ＥＡ１に境界線ＦＢＬが表示される。なお、図２６は、境界線ＦＢＬの表示をオンした場合を示している。境界線の表示をオンすると、プリントされる画像にも境界線が表示される。
【０２０５】
画像表示領域ＥＡ１において、画像を合成する領域をタッチすると、タッチパネル１２０の画面が画像選択画面に切り換わる（図１５参照）。ユーザーは、この画面で合成する画像を選択する。画像を選択すると、再び、コラージュ画像作成画面２２１に復帰する。この際、選択した画像が、選択した領域に当てはめられて表示される。
【０２０６】
図２７は、画像選択後のコラージュ画像作成画面の一例を示す図である。
【０２０７】
同図は、フレーム内が上下二等分割された分割フレームにおいて、画面上側の領域を選択して、合成する画像を選択した場合の画面表示の一例を示している。同図に示すように、選択した画像が、選択した領域に当てはめられて表示される。
【０２０８】
選択した領域において、画像をタッチしながら指を移動させると、画像の位置調整が行われる。選択した画像を変更する場合は、画像を変更する領域をタッチして選択し、バックボタンＢＢをタッチする。本操作により、画面が画像選択画面（図１５参照）に切り換わり、画像の選択が可能になる。なお、領域内で画面をフリック操作することによって、順番に画像が切り換わる構成としてもよい。
【０２０９】
分割フレームのすべての領域について、画像の選択を行い、コラージュ画像を完成させる。
【０２１０】
選択した各領域の画像については、拡大及び回転の機能、フィルターの機能及び画質補正の機能を使用することで、個別に加工編集できる。拡大及び回転の機能、フィルターの機能及び画質補正の機能は、かんたんプリントの場合と同じである。
【０２１１】
［分割フレーム切り換え操作画面］
ボタン表示領域ＥＡ２に表示された分割フレームボタンＥＢ５は、分割フレームを切り換える機能を呼び出すボタンである。分割フレームボタンＥＢ５がタッチされると、分割フレームの切り換え操作を行う操作画面（分割フレーム切り換え操作画面）２２２に切り換わる。
【０２１２】
図２８は、分割フレーム切り換え操作画面の一例を示す図である。
【０２１３】
分割フレーム切り換え操作画面２２２では、コラージュ画像作成画面２２１での表示内容に加えて、切り換え可能な分割フレームを選択する分割フレーム選択ボタンＳＦＢ１、ＳＦＢ２、…が表示される。ユーザーは、切り換えを希望する分割フレームの選択ボタンを画面上でタッチして選択する。
【０２１４】
各ボタンは、そのボタンによって選択される分割フレームの画像を縮小した画像で構成される。したがって、その外形は、プリント画像の外形と相似形状を有する（ほぼ相似と認められる形状を含む）。
【０２１５】
分割フレーム選択ボタンＳＦＢ１、ＳＦＢ２、…は、テンプレート画像の選択ボタンと同様に、操作領域ＥＡ３に表示され、画面の幅方向の中心を通る直線上に設定された点を中心として放射状に表示される。また、操作領域ＥＡ３には、一定数の分割フレーム選択ボタンＳＦＢ１、ＳＦＢ２、…が表示される。その他の分割フレーム選択ボタンについては、テンプレート画像の選択ボタンと同様に、スクロールさせて表示する（図２４参照）。
【０２１６】
分割フレームが切り換えられた場合は、再度、各領域の画像が選択される。
【０２１７】
［プリントを実行した場合の操作画面］
コラージュ画像が完成すると、プリントが可能になる。プリントの実行は、かんたんプリントの場合と同じである。すなわち、画面上でプリントボタンＰＢをタッチして、プリントを指示する。プリントが指示されると、プリンタ１０にプリント画像（生成されたコラージュ画像）の画像データが送信される。画像送信のイメージが、アニメーションで表示される点は、かんたんプリントの場合と同様である（図２０参照）。
【０２１８】
（Ｄ）［組み写真の機能を使用したプリント］
以下においては、組み写真の機能を使用して、スマートフォン１００に保存されている画像をプリントする場合の手順について説明する。上記のように、組み写真では、１つの画像を複数に分割してプリントする。その大まかな処理手順は、（１）レイアウトの選択、（２）画像の選択、（３）プリントの指示である。必要に応じて、画像の加工編集が行われる。
【０２１９】
［レイアウト選択画面］
トップ画面（図１３及び図１４参照）において、組み写真ボタンＭＢ７がタッチされると、組み写真の機能が起動する。組み写真の機能が起動すると、タッチパネル１２０の画面が、レイアウト選択画面２３０に切り換わる。この画面は、分割のレイアウトを選択する画面である。
【０２２０】
図２９は、レイアウト選択画面の一例を示す図である。
【０２２１】
同図に示すように、レイアウト選択画面２３０では、選択可能なレイアウトの画像が一覧表示される。選択可能なレイアウトの画像は、インスタントフィルムを模した画像を分割の態様に合わせて並べた画像で構成される。
ユーザーは、希望するレイアウトの画像を画面上でタッチして選択する。
【０２２２】
［画像選択画面］
レイアウト選択画面２３０において、レイアウトが選択されると、タッチパネル１２０の画面が、画像選択画面２０１に切り換わる（図１５参照）。ユーザーは、この画面でプリントする画像を選択する。
【０２２３】
［プリント画像確認画面］
プリントする画像が選択されると、タッチパネル１２０の画面が、プリント画像確認画面２３１に切り換わる。この画面は、プリントする画像（プリント画像）を確認するための画面である。
【０２２４】
図３０は、組み写真におけるプリント画像確認画面の一例を示す図である。
【０２２５】
組み写真におけるプリント画像確認画面２３１では、選択したレイアウトに応じて画像表示領域が設定される。図３０には、上下に二分割した組み写真を生成する場合の表示例を示している。この場合、２つの画像表示領域（第１の画像表示領域ＥＡ１ａ及び第２の画像表示領域ＥＡ１ｂ）が設定される。各画像表示領域の周囲には枠ＦＬ１、ＦＬ２が表示される。
【０２２６】
組み写真におけるプリント画像確認画面２３１では、画像編集のメニューボタンとして、レイアウトボタンＥＢ６が追加して表示される。レイアウトボタンＥＢ６は、レイアウトを変更する機能を呼び出すボタンである。
【０２２７】
［レイアウト操作画面］
レイアウトボタンＥＢ６がタッチされると、レイアウトの変更操作を行う操作画面（レイアウト変更操作画面）２３２に切り換わる。
【０２２８】
図３１は、テンプレート切り換え操作画面の一例を示す図である。
【０２２９】
レイアウト変更操作画面２３２では、プリント画像確認画面２３１での表示内容に加えて、変更可能なレイアウトの選択ボタンＬＢ１、ＬＢ２、…が表示される。ユーザーは、変更を希望するレイアウトの選択ボタンを画面上でタッチして選択する。各ボタンは、そのボタンによって選択されるレイアウトの画像を縮小した画像で構成される。
【０２３０】
レイアウトの選択ボタンＬＢ１、ＬＢ２、…は、フィルターの選択ボタンと同様に、操作領域ＥＡ３に展開表示され、画面の幅方向の中心を通る直線上に設定された点を中心として放射状に表示される。また、スワイプ操作によって表示がスクロールされる。
【０２３１】
［プリントを実行した場合の操作画面］
プリントの実行は、かんたんプリントの場合と同じである。すなわち、画面上でプリントボタンＰＢをタッチして、プリントを指示する。プリントが指示されると、プリンタ１０にプリント画像の画像データが送信される。また、画像送信のイメージが、画面上にアニメーション表示される。
【０２３２】
なお、組み写真の場合は、選択したレイアウトに応じて複数枚の画像がプリントされる。したがって、アニメーションも、一枚ずつ送信されるイメージのアニメーションが表示される。
【０２３３】
（Ｄ）［カメラの機能を使用したプリント］
以下においては、カメラの機能を使用して、画像をプリントする場合の手順について説明する。その大まかな処理手順は、（１）撮影、（２）プリントの指示である。必要に応じて、画像の加工編集が行われる。
【０２３４】
［撮影操作画面］
トップ画面（図１３及び図１４参照）において、カメラボタンＭＢ３がタッチされると、カメラの機能が起動する。カメラの機能が起動すると、タッチパネル１２０の画面が、撮影操作画面２４０に切り換わる。
【０２３５】
図３２は、撮影操作画面の一例を示す図である。
【０２３６】
撮影操作画面２４０では、画像表示領域ＥＡ１にライブビューの画像ＬＶＩが表示される。ライブビューとは、イメージセンサで捉えた映像をリアルタイムに表示させる機能である。
【０２３７】
また、撮影操作画面２４０では、ボタン表示領域ＥＡ２にカメラの操作ボタンが表示される。具体的には、フラッシュボタンＣＢ１、イン／アウト切り換えボタンＣＢ２、シャッターボタンＣＢ３、タイマーボタンＣＢ４及びデートボタンＣＢ５が表示される。フラッシュボタンＣＢ１は、フラッシュのモードを切り換えるボタンである。イン／アウト切り換えボタンＣＢ２は、インカメラとアウトカメラを切り換えるボタンである。シャッターボタンＣＢ３は、レリーズを指示するボタンである。タイマーボタンＣＢ４は、タイマー機能のオン及びオフを切り換えるボタンである。デートボタンＣＢ５は、デート機能のオン及びオフを切り換えるボタンである。デート機能とは、プリント画像の所定位置に日付を写し込む機能である。
【０２３８】
ユーザーは、画像表示領域ＥＡ１に表示されたライブビューの画像ＬＶＩを見ながら、シャッターボタンＣＢ３をタッチして、撮影を実行する。
【０２３９】
［プリント画像確認画面］
撮影が実行されると、タッチパネル１２０の画面が、プリント画像確認画面に切り換わる。この画面は、かんたんプリントにおけるプリント画像確認画面２０２と同じである。ユーザーは、必要に応じて、この画面でプリントする画像の加工編集を行う。加工編集しない場合は、プリントボタンＰＢをタッチして、プリントを指示する。プリントが指示されると、プリンタ１０にプリント画像の画像データが送信される。画像の送信に際して、画像送信のイメージがアニメーションで表示される点は、かんたんプリントの場合と同様である（図２０参照）。
【０２４０】
［ステータス情報の表示］
プリンタ１０とスマートフォン１００との間の接続が確立している状態において、プリンタ本体１４が持ち上げられると、スマートフォン１００の画面にプリンタ１０のステータス情報が表示される。
【０２４１】
プリンタ１０は、プリンタ本体１４が持ち上げられると、その動きが動き検出部６６で検出される。プリンタ本体１４を持ち上げる動き（第３の動き）が動き検出部６６で検出されると、プリンタ１０は、自身のステータス情報を収集し取得する。具体的には、プリント可能枚数の情報及びバッテリー残量の情報を取得する。そして、取得した情報をステータス情報として、スマートフォン１００に送信する。
【０２４２】
スマートフォン１００は、ステータス情報を受信すると、タッチパネル１２０にプリンタ１０のステータス情報を表示させる。
【０２４３】
図３３は、ステータス情報の表示の一例を示す図である。
【０２４４】
同図に示すように、現在の表示に重ねてステータス情報ＳＩが表示される。なお、図３３は、かんたんプリントのプリント画像確認画面２０２の表示中にプリンタ本体１４が持ち上げられた場合の例を示している。
【０２４５】
図３３に示す例では、円を表示し、その円内にステータス情報として、プリント可能枚数（フィルム残数）の情報ＳＩ１、及び、バッテリー残量の情報ＳＩ２を表示する場合の例を示している。また、図３２に示す例では、接続されているプリンタ１０の名称（たとえば、機種名）も表示する場合の例を示している。
【０２４６】
このように、プリンタ１０のステータス情報を表示することにより、たとえば、本実施の形態のプリンタ１０のように、ディスプレイ等を持たないプリンタを使用する場合であっても、その状態を把握できる。これにより、システムとしての利便性を向上できる。
【０２４７】
なお、ステータス情報については、トップ画面でも表示されるが（図１３及び図１４参照）、トップ画面の表示中にプリンタ本体１４が持ち上げられた場合も同様に、ステータス情報ＳＩを表示させる。
【０２４８】
なお、ステータス情報ＳＩの表示については、ユーザーが任意にオン及びオフを選択できる構成とすることが好ましい。すなわち、プリンタ本体１４を持ち上げても、ステータス情報ＳＩが表示されない設定を選択できる構成とすることが好ましい。また、各場面で表示のオン及びオフを個別に設定できる構成とすることがより好ましい。たとえば、トップ画面では常に表示をオフとする設定ができる構成とすることがより好ましい。表示のオン及びオフの設定は、プリントアプリの設定画面で行う。設定画面は、トップ画面において、設定ボタンＳＥＢをタッチすることで呼び出される。
【０２４９】
［プリンタ本体の動きとスマートフォンのタッチパネルの表示との関係］
図３４は、プリンタ本体の動きとスマートフォンのタッチパネルの表示の関係を示す表である。
【０２５０】
同図に示すように、スマートフォン１００のタッチパネル１２０にトップ画面を表示する場合において、プリンタ本体１４が縦置きされている場合は、トップ画面として、第１のトップ画面２００Ａが表示される。一方、プリンタ本体１４が横置きされている場合は、トップ画面として、第２のトップ画面２００Ｂが表示される。
【０２５１】
第１のトップ画面２００Ａは、遊びの要素及び作品造りの要素を含んだ機能のボタン（相性診断ボタンＭＢ４、テンプレートプリントボタンＭＢ５、コラージュプリントボタンＭＢ６及び組み写真ボタンＭＢ７）が、目立つように大きく表示される。したがって、ユーザーは、作品造り等をしたい場合は、トップ画面を表示させる際に、プリンタ本体１４を縦置きする。これにより、目的とする機能を簡単に起動させることができる。
【０２５２】
一方、第２のトップ画面２００Ｂは、簡単にプリントできる機能のボタン（かんたんプリントボタンＭＢ１、動画プリントボタンＭＢ２及びカメラボタンＭＢ３）が、目立つように大きく表示される。したがって、ユーザーは、簡単にプリントしたい場合は、トップ画面を表示させる際に、プリンタ本体１４を横置きする。これにより、目的とする機能を簡単に起動させることができる。
【０２５３】
また、図３４に示すように、プリンタ１０とスマートフォン１００との接続が確立している状態において、プリンタ本体１４が持ち上げられると、スマートフォン１００のタッチパネル１２０の画面にステータス情報ＳＩが表示される。これにより、プリンタ１０の状態を瞬時に把握できる。
【０２５４】
［変形例］
プリントアプリの起動時にプリンタ１０との通信の接続が確立できない場合は、デフォルトのトップ画面として、第１のトップ画面及び第２のトップ画面のいずれか一方を表示させることが好ましい。たとえば、プリントアプリを起動後、一定時間内にプリンタ１０との通信の接続が確立できない場合は、デフォルトのトップ画面として、第１のトップ画面を表示させる。なお、プリンタ１０との通信の接続が確立できない場合に表示させるトップ画面をユーザーが選択して設定できる構成としてもよい。あるいは、前回表示したトップ画面を表示させる構成としてもよい。
【０２５５】
また、プリンタ１０との関係でトップ画面を切り換えるのは、プリントアプリの起動時だけに限定してもよい。すなわち、プリントアプリの起動後に再度トップ画面を表示させるような場合（たとえば、トップボタンＴＢをタッチして、トップ画面を表示させる場合など）には、起動時のトップ画面を表示させる。たとえば、起動時に第１のトップ画面を表示させた場合には、プリントアプリを終了させるまで、第１のトップ画面をトップ画面として表示させる。
【０２５６】
また、トップ画面の表示中にプリンタ本体１４の設置姿勢を変えた場合は、設置姿勢の変更に応じて、トップ画面も変更する構成としてもよい。これにより、トップ画面の切り換えを簡単に行うことができる。
【０２５７】
なお、本実施の形態では、トップ画面を２種類用意しているが、トップ画面の種類は、これに限定されるものではない。検出するプリンタ本体１４の動きに応じて、複数種類用意できる。横置きする場合において、正面側を上に向けて置く場合と、下に向けておく場合とを区別し、それぞれにトップ画面をよういしてもよい。更に、右側面又は左側面を下にして置く動きを検出し、それぞれについてトップ画面を用意することもできる。
【０２５８】
また、トップ画面の構成は、上記実施の形態のものに限定されず、プリントアプリが備える機能等に応じた構成とすることができる。
【０２５９】
また、上記実施の形態では、各トップ画面に最後にプリントした画像を表示する構成としているが、当該画像を省略することもできる。また、上記実施の形態のように、トップ画面に最後にプリントした画像を表示する場合には、当該画像をリプリントの指示ボタンとして機能させてもよい。すなわち、当該画像の部分をユーザーがタッチした場合には、当該画像をプリント画像に設定して、かんたんプリントの画面を起動させるようにする。これにより、スマートフォン側で簡単にリプリントの操作を行うことができる。また、当該画像をプリント履歴の確認ボタンとして機能させてもよい。すなわち、当該画像の部分をユーザーがタッチした場合には、これまでプリントした画像を再生する画面に切り換える構成とする。プリント履歴の再生画面では、たとえば、ユーザーからのコマ送り指示（たとえば、横方向へのスワイプ操作）に従って、これまでプリントした画像を順番にコマ送り再生する（プリントが新しいものから古いもの順に順番にコマ送り再生する。）。なお、当該機能を作動させるためには、プリント履歴の情報を別途保持する必要がある。
【０２６０】
また、上記実施の形態では、プリンタ１０のステータス情報として、プリント可能枚数の情報及びバッテリー残量の情報を表示させているが、プリンタ１０のステータス情報として表示する情報は、これに限定されるものではない。この他、たとえば、プリンタ１０に画像の記憶部を備えている場合は、記憶可能枚数の情報、空き容量の情報等を取得して、表示させてもよい。
【０２６１】
また、上記実施の形態では、プリンタ本体１４を持ち上げる動きによって、ステータス情報ＳＩを表示させる構成としているが、ステータス情報ＳＩの表示に割り当てる動きは、これに限定されるものではない。
【０２６２】
また、プリンタ本体に発光部が備えられている場合には、特定の動きの検出に連動して、発光部を発光させることが好ましい。特に、本実施の形態のプリンタ１０のように、カラー発光が可能な発光部（電源ボタン１６）が備えられている場合、発光制御部８０Ｅは、動き検出部６６で検出された動きに応じた発光色、及び／又は、発光パターンで発光部を発光させることが好ましい。たとえば、プリンタ本体１４が縦置きされたことを検出した場合は、発光部である電源ボタン１６を赤色で発光させる。一方、横置きされたことを検出した場合は、青色で発光させる。これにより、姿勢が正常に検出されたことを視認できる。
【０２６３】
［第２の実施の形態］
上記実施の形態のプリントシステムでは、プリンタ本体１４の動きに応じて、スマートフォン１００の表示を制御する構成とされている。本実施の形態でプリントシステムでは、更に、プリンタ本体１４の動きに応じて、プリンタ自身の動作を制御する。具体的には、特定の動きに応じて、画像をリプリントする。また、特定の動くに応じて、プリンタ１０の電源をオフする。
【０２６４】
図３５は、本実施の形態のプリンタのプリンタマイコンが実現する主な機能のブロック図である。
【０２６５】
プリント制御部８０Ｃが、動き検出部６６の検出結果に基づいて、前回プリントした画像をリプリントする点、及び、電源制御部８０Ｆが、動き検出部６６の検出結果に基づいて、プリンタ１０の電源をオフする点で上記実施の形態のプリンタ１０と相違する。したがって、以下においては、この相違点についてのみ説明する。
【０２６６】
プリント制御部８０Ｃは、プリンタ本体１４を持ち上げて逆さまにした状態が一定時間継続されると、リプリントの処理を実行する。プリンタ本体１４を逆さまにする動きとは、プリンタ本体１４を持ち上げて、排出口１８を下に向ける動き（第４の動き）である。一定時間は、たとえば、５秒である。また、ここでの「下に向ける」には、実質的に鉛直下向きに向けていると認められる範囲が含まれる。すなわち、ほぼ下向きと認められる範囲が含まれる。
【０２６７】
動き検出部６６において、プリンタ本体１４を持ち上げて逆さまにする動きが検出され、その状態が一定時間維持されると、前回プリントした画像の画像データが、画像取得部８０Ａによってプリンタ記憶部６２から読み出されて取得される。取得された画像データは、プリントデータ生成部８０Ｂに加えられ、プリント部でプリント可能なデータ形式に変換される。プリント制御部８０Ｃは、プリントデータ生成部８０Ｂからプリントデータを取得して、インスタントフィルム１２にプリントする。これにより、前回プリントした画像がリプリントされる。
【０２６８】
電源制御部８０Ｆは、プリンタ本体１４を水平にして電源ボタン１６を下（鉛直方向下向き）に向ける動き（第５の動き）が動き検出部６６で検出され、その状態が一定時間維持されると、プリンタ１０の電源をオフする。一定時間は、たとえば、１０秒である。したがって、たとえば、電源ボタン１６を下に向けて横置きした場合などには、横置きしてから一定時間経過後に、自動的に電源がオフされる。
【０２６９】
図３６は、プリンタ本体の動きとプリンタの動作との関係を示す表である。
【０２７０】
同図に示すように、プリンタ本体１４を持ち上げて逆さまにし、一定時間が経過すると、前回プリントした画像がリプリントされる。これにより、簡単にリプリントできる。
【０２７１】
また、同図に示すように、プリンタ本体１４を水平にして電源ボタン１６を下に向けると、一定時間経過後にプリンタ１０の電源がオフされる。たとえば、電源ボタン１６を下に向けてプリンタ本体１４を横置きすると、一定時間経過後にプリンタ１０の電源がオフされる。これにより、簡単に電源をオフにできる。
【０２７２】
なお、本実施の形態のプリンタ１０のように、電源ボタン１６を下に向けると電源がオフする構成の場合において、プリントアプリのトップ画面を第２のトップ画面にする場合は、電源ボタン１６を上に向けて横置きにする。また、ここでの「下に向ける」には、実質的に鉛直下向きに向けていると認められる範囲が含まれる。すなわち、ほぼ下向きと認められる範囲が含まれる。
【０２７３】
［変形例］
上記実施の形態では、プリンタ本体１４を、一定時間以上、逆さまにすると、前回プリントした画像をリプリントする構成としているが、リプリントの処理に割り当てるプリンタ本体１４の動作は、これに限定されるものではない。この他、たとえば、プリンタ本体１４を、一定時間以上、逆さまにして傾けると、前回プリントした画像をリプリントする構成とすることができる。好ましくは、あらかじめ定められた角度の範囲内で排出口１８を下に向けてプリンタ本体１４を傾けると、リプリントする構成とする。たとえば、３０°から６０°の範囲内で排出口１８を下に向けてプリンタ本体１４を傾けた場合にリプリントする構成とする。なお、ここでの「逆さまにして傾ける」とは、排出口１８を下に向けてプリンタ本体１４を傾ける動きをいう。
【０２７４】
プリンタ本体１４を逆さまにする動き又は逆さまに傾ける動きと他の動きとを組み合わせて、リプリントする構成とすることもできる。たとえば、プリンタ本体１４を、一定時間以上、逆さまにした後、上下に振る動作によって、リプリントする構成としてもよい。この場合、振る回数によって、プリント枚数を設定してもよい。たとえば、プリンタ本体１４を、一定時間以上、逆さまにした後、上下方向に二回振った場合は、２枚リプリントする構成とすることができる。
【０２７５】
また、動きと操作ボタンとの組み合わせによって、リプリントする構成とすることもできる。たとえば、プリンタ本体１４を逆さまにして、あるいは、プリンタ本体１４を逆さまにして傾けて、電源ボタン１６を押すと、リプリントされる構成とすることもできる。
【０２７６】
プリンタ１０の電源をオフする場合も同様であり、電源ボタン１６を下に向ける以外の動きを割り当てることができる。たとえば、電源ボタン１６を下方向に傾ける動きを割り当てることができる。更に、他の動きと組み合わせて割り当てることもできる。また、動きと操作ボタンとの組み合わせによって、電源をオフする構成とすることもできる。たとえば、電源ボタン１６を下向きにして、電源ボタン１６を押す（短押し）と、電源がオフされる構成とすることができる（通常は、電源ボタン１６の長押しで電源がオフされる。）。
【０２７７】
また、プリンタ本体１４の動きによって制御するプリンタ１０の動作内容については、上記実施の形態のものに限定されない。プリンタ１０が有する機能に応じて、適宜設定できる。
【０２７８】
また、本実施の形態のように、プリンタ本体１４の動きに応じて、プリンタ自身の動作を制御する場合においても、検出された動きに応じて、発光部（電源ボタン１６）を発光させることが好ましい。
【０２７９】
［第３の実施の形態］
本実施の形態でプリントシステムでは、プリンタ１０をスマートフォン１００のリモートコントローラーとして使用し、スマートフォン１００を遠隔制御する。
【０２８０】
以下においては、プリンタ１０によって、スマートフォン１００のカメラ機能を遠隔制御する場合を例に説明する。
【０２８１】
図３７は、本実施の形態のプリンタのプリンタマイコンが実現する主な機能のブロック図である。
【０２８２】
同図に示すように、本実施の形態のプリンタ１０のプリンタマイコン８０は、モード設定部８０Ｊ及び操作信号送信部８０Ｋの機能を更に有する。
【０２８３】
モード設定部８０Ｊは、プリンタ１０の動作モードを設定する。本実施の形態のプリンタ１０は、その動作モードとして、プリンタモード及びリモコンモードを有する。プリンタモードは、プリンタ１０を通常のプリンタとして使用するモードである。リモコンモードは、スマートフォン１００との関係でプリンタ１０をスマートフォン１００のリモートコントローラーとして使用するモードである。
【０２８４】
モード設定部８０Ｊは、スマートフォン１００から送信されるモード切り換え指令に応じて、プリンタ１０の動作モードを設定する。なお、プリンタ１０は、電源投入時、プリンタモードで起動する。したがって、リモコンモードに設定されるのは、スマートフォン１００からリモコンモードへの切り換え指令を受けた場合である。モードの切り換え操作は、プリントアプリの操作画面で行われる。したがって、プリントアプリには、そのメニュー項目の一つに、プリンタのモードの設定機能が用意される。
【０２８５】
操作信号送信部８０Ｋは、プリンタ１０の動作モードがリモコンモードに設定された場合に、動き検出部６６で検出されるプリンタ本体１４の動き、及び、電源ボタン１６のボタン操作に応じて、スマートフォン１００を操作する信号（操作信号）を送信する。具体的には、カメラ部（インカメラ部１０８Ａ及びアウトカメラ部１０８Ｂ）のズームを操作する操作信号、及び、レリーズを操作する操作信号を送信する。
【０２８６】
ズームは、プリンタ本体１４の動きで操作する。具体的には、起立姿勢（縦置きの姿勢）から前後に傾ける動作（第７の動き）でズームを操作する。本実施の形態では、前方（正面側）に傾けた場合はテレ側にズームし（ズームアップ）、後方（背面側）に傾けた場合はワイド側ズーム（ズームアウト）する構成とする。ズームは、ステップズームとし、プリンタ本体１４を傾けるたびに一定のズーム倍率でズームアップ及びズームアウトする。ズームの操作信号は、プリンタ本体１４を一定の角度範囲で傾けた場合に送信する。本実施の形態では、前方に３０°から６０°の範囲（４５°±１５°の範囲）で傾けた場合にズームアップ、後方に３０°から６０°の範囲（４５°±１５°の範囲）で傾けた場合にズームアップする。ズームの手法については特に限定されない。操作対象とするスマートフォン１００に光学ズームの機能が備えられている場合は、光学ズームによってズームアップ及びズームアウトする。また、操作対象とするスマートフォン１００は、電子ズームの機能のみ備えている場合は、電子ズームによってズームアップ及びズームダウンする。操作対象とするスマートフォン１００が、光学ズーム及び電子ズームの双方の機能を備えている場合は、双方のズーム機能を使用してもよい。たとえば、光学ズームでテレ端までズームアップした後、更にズームアップする場合は、電子ズームに切り換える。また、ユーザーの設定により、いずれか一方のズームのみを機能させる構成としてもよい。
【０２８７】
動き検出部６６において、プリンタ本体１４の前方への傾きが検出されると、操作信号送信部８０Ｋは、無線通信部５６を介して、スマートフォン１００にズームアップの操作信号を送信する。また、動き検出部６６において、プリンタ本体１４の後方への傾きが検出されると、操作信号送信部８０Ｋは、無線通信部５６を介して、スマートフォン１００にズームアウトの操作信号を送信する。
【０２８８】
また、操作信号送信部８０Ｋは、操作検出部５０において、電源ボタン１６の短押しのボタン操作が検出されると、無線通信部５６を介して、スマートフォン１００にレリーズの操作信号を送信する。
【０２８９】
スマートフォン１００は、プリンタ１０の動作モードをプリンタモードに設定した場合において、プリンタ１０からズームの操作信号を受信すると、撮影制御部１００Ｃを介してカメラ部（インカメラ部１０８Ａ又はアウトカメラ部１０８Ｂ）のズームを動作させる。また、レリーズの操作信号を受信すると、撮影制御部１００Ｃを介して、記録用の撮影処理を実行する。
【０２９０】
なお、スマートフォン１００における撮影制御部１００Ｃは、端末制御部の一例である。また、通信制御部１００Ｆは、操作信号受信部の一例である。
【０２９１】
図３８は、リモコンモードにおけるプリンタ本体の動きとスマートフォンのカメラ動作との関係を示す表である。
【０２９２】
同図に示すように、プリンタ１０の動作モードをリモコンモードに設定し、プリンタ本体１４を前方に傾けると、プリンタ１０からスマートフォン１００にズームアップの操作信号が送信される。スマートフォン１００は、このズームアップの操作信号を受信して、カメラ部（インカメラ部１０８Ａ又はアウトカメラ部１０８Ｂ）のズームをテレ側に動作させる。
【０２９３】
また、プリンタ本体１４を後方に傾けると、プリンタ１０からスマートフォン１００にズームアウトの操作信号が送信される。スマートフォン１００は、このズームアウトの操作信号を受信して、カメラ部のズームをワイド側に動作させる。
【０２９４】
更に、電源ボタン１６をボタン操作（短押し）すると、プリンタ１０からスマートフォン１００にレリーズの操作信号が送信される。スマートフォン１００は、このレリーズの操作信号を受信して、記録用の撮影処理を実行する。
【０２９５】
このように、本実施の形態のプリントシステムによれば、プリンタ１０をスマートフォン１００のリモートコントローラーとして使用できる。これにより、撮影の際の利便性を更に向上できる。
【０２９６】
［変形例］
上記実施の形態では、プリンタ本体１４を前後に傾ける動作でスマートフォン１００のカメラ部のズームを操作する場合を例に説明したが、ズーム動作に割り当てる動作は、これに限定されるものではない。この他、たとえば、プリンタ本体を左右に傾ける動作でズームを操作する構成とすることもできる。また、プリンタ本体に備えられた操作部材の操作でズームを操作する構成とすることもできる。更に、プリンタ本体に備えられた操作部材と動きとの組み合わせでズームを操作する構成とすることもできる。
【０２９７】
また、上記実施の形態では、プリンタ本体１４を傾けるたびに一定のズーム倍率でズームアップ及びズームアウトする構成としているが、ズームの動作形態は、これに限定されるものではない。たとえば、傾斜させている間、連続的にズームする構成とすることもできる。
【０２９８】
また、上記実施の形態では、電源ボタン１６のボタン操作によってレリーズを操作する構成としているが、レリーズ動作に割り当てる動作は、これに限定されるものではない。たとえば、プリンタ本体１４の特定の動き（第６の動き）にレリーズの動作を割り当ててもよい。たとえば、プリンタ本体１４を上下に振る動作でレリーズが操作される構成とすることもできる。また、プリンタ本体１４の特定の動きと操作部材の操作との組み合わせでレリーズを動作させる構成としてもよい。
【０２９９】
また、上記実施の形態では、プリンタ１０によってスマートフォン１００のカメラ部を遠隔操作する場合を例に説明したが、操作対象は、これに限定されるものではない。たとえば、画像再生において、プリンタ本体１４を前後に傾ける動作でコマ送り、及び／又は、コマ戻しを操作することもできる。
【０３００】
また、カメラ部を遠隔操作する場合において、遠隔操作の対象とする動作は、ズーム及びレリーズには限定されない。その他の動作を対象とすることもできる。たとえば、撮影モード（シャッタスピード優先モード、絞り優先モード、オートモード等）の切り換え、シャッタスピードの切り換え、絞り値の切り換え、感度の切り換え等をプリンタ本体１４の動き、及び／又は、プリンタ本体１４に備えられた操作部材の操作によって遠隔操作してもよい。
【０３０１】
また、スマートフォン１００の動作と、その動作に割り当てるプリンタ本体１４の動きをユーザーが任意に設定できる構成としてもよい（いわゆるカスタマイズ機能）。割り当てる動きは、たとえば、上記のように、プリンタ本体１４を傾ける動作の他、上下に振る動作、前後に振る動作、左右に振る動作、斜めに振る動作、上下を反転する動作、表裏を反転する動作等を採用できる。また、これらの動作と、プリンタ本体１４に備えられた操作部材の操作とを組み合わせてもよい。また、割り当てを行う際は、割り当てる動きを実際に行って動き検出部６６で検出し、検出した動きを特定の操作に割り当てるようにしてもよい。たとえば、プリンタ本体１４を前後に傾ける動作をカメラ部のズーム操作に割り当てる場合、実際にプリンタ本体１４を前後に傾ける動作を行い、その動きを動き検出部６６で検出して、ズーム操作に割り当てる構成とする。これにより、各ユーザーの動かし方の癖等を反映させることができ、より使い勝手を向上できる。
【０３０２】
また、本実施の形態においても、検出されたプリンタ本体１４の動きに応じて、発光部（電源ボタン１６）を発光させることが好ましい。
【０３０３】
上記実施の形態では、プリンタ１０によって端末（スマートフォン１００）を遠隔操作する場合について説明したが、本体の動きを検出する機能を備えた機器（動き検出部を備えた機器）を用いることによって、同様の操作システム（端末を遠隔操作するシステム）を構成できる。たとえば、本体の動きを検出する動き検出部を備えた携帯電子機器によって、端末を操作する操作システムを構成できる。特に、カメラ部を備えた端末を携帯電子機器の動きによって、あるいは、携帯電子機器に備えられた操作部材の操作によって操作する操作システムを構成することができる。
【０３０４】
［その他の実施の形態］
［画面切り換えのアニメーション表示］
トップ画面の表示中にプリンタ本体１４の設置姿勢を代えた場合には、画面の切り換わりをアニメーションで表示することが好ましい。たとえば、第１のトップ画面２００Ａの表示中にプリンタ本体１４の設置姿勢を縦置きから横置きに切り換えた場合、トップ画面は、第１のトップ画面２００Ａから第２のトップ画面２００Ｂに切り換わるが、その切り換わりをアニメーションで表示することが好ましい。同様に、第２のトップ画面２００Ｂの表示中にプリンタ本体１４の設置姿勢を横置きから縦置きに切り換えた場合、トップ画面が、第２のトップ画面２００Ｂから第１のトップ画面２００Ａに切り換わるが、その切り換わりをアニメーションで表示することが好ましい。
【０３０５】
図３９は、トップ画面の切り換わりのアニメーション表示の一例を示す図である。同図は、アニメーションの切り換わりの様子を時系列順に表示したものである（所定の間隔でコマ送りして表示したもの）。
【０３０６】
第１のトップ画面２００Ａから第２のトップ画面２００Ｂに切り換わる場合、画面２００ａ、画面２００ｂ、…、画面２００ｒ、画面２００ｓの順で画面が変遷して、第２のトップ画面２００Ｂに切り変わる。一方、第２のトップ画面２００Ｂから第１のトップ画面２００Ａに切り換わる場合は、画面２００ｓ、画面２００ｒ、…、画面２００ｂ、画面２００ａの順で画面が変遷して、第１のトップ画面２００Ａに切り換わる。
【０３０７】
このように、画面の切り変わりがアニメーションで表示されることにより、切り変わりを明確に把握でき、より操作性を向上できる。また、プリンタ本体１４の設置姿勢によって画面が切り換わることをユーザーが認識しやすくでき、直感的な操作が可能になる。更に、操作する楽しみをユーザーに与えることができる。
【０３０８】
［プリントの指示操作の変形例］
上記実施の形態では、ボタン表示領域ＥＡ２に表示されたプリントボタンＰＢをタッチ操作することにより、画像表示領域ＥＡ１に表示された画像のプリントを指示する構成としている。当該方法に代えて、あるいは、当該方法に加えて、次の方法でプリントを指示してもよい。すなわち、画像表示領域ＥＡ１に表示されたプリント画像ＰＩの上で又は枠ＦＬの上で画面をスワイプ操作又はフリック操作することにより、プリントを指示する。
【０３０９】
図４０は、フリック操作によりプリントを指示する場合の操作の概念図である。
【０３１０】
同図に示すように、画面に表示された枠ＦＬの上を指でタッチし、上方に弾くように滑らせて、プリントを指示する。
【０３１１】
上記のように、プリントが指示されると、画像送信のイメージがアニメーションで表示される。アニメーション表示の際のプリント画像ＰＩの移動方向と、プリント指示の操作方向とが一致する。これにより、直感的な操作を可能にでき、より操作性を向上できる。
【０３１２】
［プリントの中止］
プリントは必要に応じて中止できるようにすることが好ましい。特に、プリントを開始する前においては、プリントを中止できるようにすることにより、プリントシステムの利便性をより向上できる。
【０３１３】
携帯端末側でプリントの中止を指示する方法として、画面上にプリントの中止を指示するボタンを表示する方法を採用できる。
【０３１４】
図４１は、プリントのキャンセルの指示入力を受け付ける画面の一例を示す図である。同図は、画像の送信中にプリントのキャンセルを受け付ける場合の画面の一例を示している。
【０３１５】
上記のように、プリントが指示されると、画像送信のイメージがアニメーションで表示される。アニメーション表示の際のプリント画像ＰＩの上に重ねて、画像の送信中であることを示すメッセージＭＩ１（「画像転送中」）、及び、プリントキャンセルボタンＰＣＢを表示する。プリントキャンセルボタンＰＣＢは、プリントの中止を指示するボタンである。プリントキャンセルボタンＰＣＢは、矩形の枠内にキャンセルの文字を付したボタンで構成される。
【０３１６】
メッセージＭＩ１及びプリントキャンセルボタンＰＣＢは、アニメーション表示の際にプリント画像ＰＩと共に移動する。したがって、最終的には画面の上縁から消える。表示中にプリントキャンセルボタンＰＣＢをタッチすることにより、プリントが中止される。
【０３１７】
プリントを指示した後にプリントキャンセルボタンＰＣＢがタッチされて、プリントが中止された場合は、プリント画像ＰＩが逆方向に移動し、元の位置に復帰する。すなわち、下方向に移動し、移動開始前の位置に復帰する（図２０の画面２０６Ａ参照）。
【０３１８】
このようにプリントキャンセルボタンＰＣＢを表示することにより、プリントを中止できること、及び、そのタイムリミットを把握でき、より操作性を向上できる。
【０３１９】
［画面上での画像加工の操作方法の変形例］
プリントする画像の拡大及び回転等の操作は、所定のジェスチャーで行ってもよい。たとえば、画像表示領域ＥＡ１に表示された画像上でピンチアウト及びピンチインの操作を行うことで、画像を拡大及び縮小させる。また、画像表示領域ＥＡ１に表示された画像上でスワイプ操作することにより、操作方向に画像を移動させる。また、画像表示領域ＥＡ１に表示された画像を二本の指（たとえば親指と人指し指）でタッチして回転（捻る）することにより、画像を回転させる。なお、ピンチインの操作とは、二本の指（たとえば親指と人指し指）で画面をタッチして摘むように動かす操作をいう。ピンチアウトの操作とは、二本の指（たとえば親指と人指し指）で画面をタッチして広げるように動かす操作をいう。
【０３２０】
なお、このように画面上のジェスチャーで拡大、移動及び回転等の操作を行う場合、当該機能のオン及びオフを切り換えられる構成にすることが好ましい。たとえば、プリント画像ＰＩを囲う枠ＦＬにタッチすることで、当該機能のオン及びオフを切り換える構成を採用できる。この場合、枠ＦＬをタッチするたびに、当該機能のオン及びオフが交互に切り換わる。
【０３２１】
また、このように画面上のジェスチャーで拡大、移動及び回転等の操作を行う場合は、操作のガイド画面を表示することが好ましい。
【０３２２】
図４２は、操作のガイド画面の一例を示す図である。
【０３２３】
同図に示すように、画面上のジェスチャーによって画像を拡大、移動及び回転できることを示すメッセージ（「画像上でジェスチャー入力することで画像の編集をすることができます。」）ＭＩ２をプリント画像確認画面２０２に表示する。このメッセージＭＩ２は、たとえば、プリント画像確認画面２０２を最初に表示させる際に表示させる。
【０３２４】
なお、図４２に示す例では、ユーザーに確認を促すためにＯＫボタンＯＫＢを表示させている。メッセージＭＩ２は、ＯＫボタンＯＫＢがタッチされることで画面から消される。本メッセージＭＩ２は、設定で表示及び非表示を選択できるようにすることが好ましい。
【０３２５】
また、本例のように、画面上のジェスチャーによって画像を拡大及び回転等させる場合は、拡大及び回転の機能を呼び出すボタン（拡大＆回転ボタンＥＢ１）の表示を省略できる。図４２は、拡大＆回転ボタンの表示を省略した例を示している。
【０３２６】
［ボタンレイアウトの変形例］
上記実施の形態では、ボタン表示領域ＥＡ２において、プリントボタンＰＢを幅方向の中心を通る直線上に配置する構成としているが、幅方向の中心を通る直線上に配置するボタンの種類は、これに限定されるものではない。その他の機能のボタンを配置してもよい。
【０３２７】
しかし、プリントに係わる操作を行う操作画面において、プリントボタンＰＢを幅方向の中心を通る直線上に配置し、かつ、他のボタンよりも大きなサイズで表示することにより、プリントの指示操作を明確にできる。
【０３２８】
また、上記実施の形態では、ボタン表示領域ＥＡ２には、プリントボタンＰＢ及び画像編集のメニューボタンのみを表示させているが、ボタン表示領域ＥＡ２には、これら以外の機能のボタンを表示してもよい。たとえば、設定ボタンＳＥＢを表示させてもよい。
【０３２９】
［画像編集のメニューの変形例］
上記実施の形態では、画像編集のメニューとして、拡大及び回転の機能、フィルターの機能、及び、画質補正の機能が備えられている場合を例に説明したが、画像編集のメニューとして用意する項目は、これに限定されるものではない。上記の項目に代えて、あるいは、上記の項目に加えて、その他の画像編集を行うことができるようにしてもよい。たとえば、ノイズ除去、シャープネスの変更等が行えるようにしてもよい。
【０３３０】
また、タッチパネルを利用して、画像上に文字を書いたり、絵を描いたり、スタンプを押したりできるようにしてもよい（いわゆるお絵描きモード）。更に、画面上にキーボードを表示し、入力した文字を写し込めるようにしてもよい。たとえば、余白領域に文字を写し込めるようにしてもよい。
【０３３１】
［プリンタが接続されていない場合の操作画面］
プリンタ１０が接続されていない場合（プリンタ１０との間の通信が確立していない場合）、各操作画面において、表示されるプリントボタンに代えて、通信接続ボタンを表示させてもよい。
【０３３２】
図４３は、通信接続ボタンの表示の一例を示す図である。なお、同図は、シンプルプリントの機能の操作画面において、通信接続ボタンを表示した場合の一例を示している。
【０３３３】
同図に示すように、プリントボタンに代えて通信接続ボタンＣＣＢが表示される。通信接続ボタンＣＣＢは、プリンタ１０と通信接続を行うボタンである。通信接続ボタンＣＣＢがタッチされると、通信可能なプリンタ１０を検出する処理が行われ、検出されたプリンタ１０との間で通信を確立させる処理が行われる。この際、スマートフォン１００のタッチパネル１２０には、通信の設定を行う画面が表示される。たとえば、通信可能なプリンタが一覧表示され、接続するプリンタを選択する画面が表示される。
【０３３４】
［プリンタの他の例］
上記実施の形態では、プリンタがインスタントプリンタで構成される場合を例に説明したが、プリンタの構成は、これに限定されるものではない。この他、たとえば、感熱紙にプリントする感熱式プリンタ、インクリボンを使用してプリントする熱転写プリンタ、インクジェット方式でプリントするインクジェットプリンタ等の種々の方式のプリンタに適用できる。また、使用するメディアの種類についても特に限定されず、枚葉紙の他、ロール紙にプリントするプリンタにも適用できる。さらに、ラベル（シールを含む）等にプリントするプリンタにも適用できる。
【０３３５】
また、上記実施の形態では、本発明をモバイルプリンタに適用した場合を例に説明したが、本発明の適用は、これに限定されるものではない。いわゆる据え置きタイプのプリンタにも適用できる。
【０３３６】
［端末の他の例］
上記各実施の形態では、端末がスマートフォンで構成される場合を例に説明したが、本発明が適用される端末は、これに限定されるものではない。プリンタと無線で接続され、その操作を行う画面を備えた機器であれば、同様に本発明を適用できる。したがって、たとえば、スマートフォン以外にもタブレット型端末、ＰＤＡ（PERSONAL DATA ASSISTANCE）、ノートパソコンのモバイルコンピュータを端末として用いることができる。また、これらのモバイルコンピュータ以外にも無線による通信機能を備えたデジタルカメラを端末として用いることができる。この場合、デジタルカメラに備えられたモニタ（背面モニタ等）に操作画面を表示させて、プリンタを操作する。同様に、無線による通信機能を備えた携帯ゲーム機、携帯電話器等を端末として用いることもできる。
【０３３７】
［プリンタ及び端末の制御部のハードウェア構成］
プリンタ及び端末の制御部の機能は、各種のプロセッサ（processor）で構成できる。各種プロセッサには、プログラムを実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device；ＰＬＤ）、ＡＳＩＣ（Application Specific Integrated Circuit）などの特定の処理を実行させるために専用に設計された回路構成を有するプロセッサである専用電気回路などが含まれる。点検支援装置を構成する１つの処理部は、上記各種プロセッサのうちの１つで構成されていてもよいし、同種又は異種の２つ以上のプロセッサで構成されてもよい。たとえば、１つの処理部は、複数のＦＰＧＡ、あるいは、ＣＰＵとＦＰＧＡの組み合わせによって構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip；ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種プロセッサを１つ以上用いて構成される。更に、これらの各種のプロセッサのハードウェア的な構造は、より具体的には、半導体素子などの回路素子を組み合わせた電気回路（circuitry）である。
【０３３８】
［通信形態の変形例］
上記実施の形態では、プリンタと携帯端末とが、近距離無線通信で通信する場合を例に説明したが、通信の方式は、特に限定されるものではない。公知の無線通信の方式を採用できる。
【０３３９】
［動き検出部］
動き検出部６６は、少なくとも割り当てられた動きが検出できればよい。したがって、検出する動きによっては、加速度センサのみで構成してもよいし、また、ジャイロセンサのみで構成してもよい。
【０３４０】
［プリンタに備える操作部材］
上記実施の形態のプリンタでは、プリンタ本体に、操作部材として、電源ボタンのみを備える構成としているが、その他の操作部材（いわゆる、メカニカルスイッチ）を備えてもよい。たとえば、リプリントを行うリプリントボタンを別途備えてもよい。
【０３４１】
なお、上記実施の形態のように、プリンタ本体に備える操作部材を電源ボタンのみとすることにより、構成を簡素化できる。
【０３４２】
［発光部の変形例］
上記実施の形態のプリンタでは、電源ボタンを発光させる構成としているが、発光部を別途備えてもよい。また、この発光部は、複数箇所に備えてもよい。
【符号の説明】
【０３４３】
１０  プリンタ
１２  インスタントフィルム
１２ａ  露光面
１２ｂ  観察面
１２ｃ  露光領域
１２ｄ  ポッド部
１２ｅ  現像処理液ポッド
１２ｆ  トラップ部
１２ｇ  吸収材
１２ｈ  観察領域
１２ｉ  枠
１４  プリンタ本体
１６  電源ボタン
１８  排出口
２０  フィルムパック蓋
２２  ロック解除レバー
２４  ＵＳＢケーブル接続部カバー
３０  フィルムパック装填室
３２  フィルム送出機構
３２ａ  クロー
３４  フィルム搬送機構
３４Ａ  搬送ローラ対
３４Ｂ  展開ローラ対
３６  プリントヘッド
４０  フィルムパック
４２  ケース
４２ａ  露光用開口
４２ｂ  フィルム排出口
４２ｃ  クロー開口部
５０  操作検出部
５２  光源部
５６  無線通信部
５６Ａ  アンテナ
５８  電源部
６２  プリンタ記憶部
６６  動き検出部
６８  フィルム送出機構駆動部
７０  フィルム搬送機構駆動部
７２  プリントヘッド制御部
８０  プリンタマイコン
８０Ａ  画像取得部
８０Ｂ  プリントデータ生成部
８０Ｃ  プリント制御部
８０Ｄ  代表色検出部
８０Ｅ  発光制御部
８０Ｆ  電源制御部
８０Ｇ  制御信号送信部
８０Ｈ  ステータス情報取得部
８０Ｉ  ステータス情報送信部
８０Ｊ  モード設定部
８０Ｋ  操作信号送信部
１００  スマートフォン
１００Ａ  表示制御部
１００Ｂ  入力制御部
１００Ｃ  撮影制御部
１００Ｄ  再生制御部
１００Ｅ  画像処理部
１００Ｆ  通信制御部
１０１  ＣＰＵ
１０２  ＲＯＭ
１０３  ＲＡＭ
１０４  内蔵メモリ
１０５  ディスプレイ
１０６  タッチパッド
１０７  ＧＰＳ受信部
１０８Ａ  インカメラ部
１０８Ｂ  アウトカメラ部
１０９  マイク部
１１０  スピーカ部
１１１  無線通信部
１１１Ａ  アンテナ
１１２  近距離無線通信部
１１２Ａ  アンテナ
１１３  センサ部
１１４  メディアドライブ
１１５  メモリカード
１２０  タッチパネル
２００  トップ画面
２００Ａ  第１のトップ画面
２００Ｂ  第２のトップ画面
２００ａ〜２００ｓ  トップ画面の切り換わりのアニメーションの一コマを構成する画面
２０１  画像選択画面
２０１Ａ  キャンセルボタン
２０２  プリント画像確認画面
２０３  回転操作画面
２０４  フィルター操作画面
２０５  画質補正操作画面
２０６Ａ〜２０６Ｃ  プリントを指示した場合のアニメーションの一コマを構成する画面
２１０  テンプレート選択画面
２１２  テンプレート切り換え操作画面
２２０  分割フレーム選択画面
２２１  コラージュ画像作成画面
２２２  分割フレーム切り換え操作画面
２３０  レイアウト選択画面
２３１  プリント画像確認画面
２３２  レイアウト変更操作画面
２４０  撮影操作画面
ＢＢ  バックボタン
ＣＢ１  フラッシュボタン
ＣＢ２  アウト切り換えボタン
ＣＢ３  シャッターボタン
ＣＢ４  タイマーボタン
ＣＢ５  デートボタン
ＣＣＢ  通信接続ボタン
Ｅ３  操作領域
ＥＡ１  画像表示領域
ＥＡ１ａ  第１の画像表示領域
ＥＡ１ｂ  第２の画像表示領域
ＥＡ２  ボタン表示領域
ＥＡ３  操作領域
ＥＢ１  回転ボタン
ＥＢ２  フィルターボタン
ＥＢ３  画質補正ボタン
ＥＢ４  テンプレートボタン
ＥＢ５  分割フレームボタン
ＥＢ６  レイアウトボタン
Ｆ  インスタントフィルムの送り方向
ＦＢ１  ノーマルボタン
ＦＢ２  モノクロボタン
ＦＢ３  セピアボタン
ＦＢ４  オートボタン
ＦＢＢ  境界線ボタン
ＦＢＬ  境界線
ＦＬ  プリント画像を囲う枠
ＦＬ１  組み写真を構成する画像を囲う枠
ＦＬ２  組み写真を構成する画像を囲う枠
ＦＬＯ  画像表示枠
ＬＢ１、ＬＢ２、…  レイアウトの選択ボタン
ＬＩＭ  最後にプリントした画像
ＬＶＩ  ライブビューの画像
ＭＡ１  第１グループ表示領域
ＭＡ２  第２グループ表示領域
ＭＡ３  ステータス情報表示領域
ＭＢ１  かんたんプリントボタン
ＭＢ２  動画プリントボタン
ＭＢ３  カメラボタン
ＭＢ４  相性診断ボタン
ＭＢ５  テンプレートプリントボタン
ＭＢ６  コラージュプリントボタン
ＭＢ７  組み写真ボタン
ＭＧ１  第１グループ
ＭＧ２  第２グループ
ＭＩ１  メッセージ
ＭＩ２  メッセージ
ＮＢ１  拡大用スライドバーのノブ
ＮＢ２  回転用スライドバーのノブ
ＮＢ３  明るさ調整用スライドバーのノブ
ＮＢ４  コントラスト調整用スライドバーのノブ
ＮＢ５  再度調整用スライドバーのノブ
ＯＫＢ  ＯＫボタン
ＰＢ  プリントボタン
ＰＩ  プリント画像
Ｒ＋  スクロールの方向
Ｒ−  スクロールの方向
ＲＳＢ  リセットボタン
Ｓ１〜Ｓ１０  プリントアプリ起動時におけるトップ画面の表示の処理手順
ＳＢ１  拡大用スライドバー
ＳＢ２  回転用スライドバー
ＳＢ３  明るさ調整用スライドバー
ＳＢ４  コントラスト調整用スライドバー
ＳＢ５  彩度調整用スライドバー
ＳＥＢ  設定ボタン
ＳＦＢ１  分割フレーム選択ボタン
ＳＦＢ２  分割フレーム選択ボタン
ＳＩ  ステータス情報
ＳＩ１  プリント可能枚数（フィルム残数）の情報
ＳＩ２  バッテリー残量の情報
ＴＢ  トップボタン
ＴＢ１、ＴＢ２、…  テンプレート画像の選択ボタン
【図１】
2020160895.tif 000003
【図２】
2020160895.tif 000004
【図３】
2020160895.tif 000005
【図４】
2020160895.tif 000006
【図５】
2020160895.tif 000007
【図６】
2020160895.tif 000008
【図７】
2020160895.tif 000009
【図８】
2020160895.tif 000010
【図９】
2020160895.tif 000011
【図１０】
2020160895.tif 000012
【図１１】
2020160895.tif 000013
【図１２】
2020160895.tif 000014
【図１３】
2020160895.tif 000015
【図１４】
2020160895.tif 000016
【図１５】
2020160895.tif 000017
【図１６】
2020160895.tif 000018
【図１７】
2020160895.tif 000019
【図１８】
2020160895.tif 000020
【図１９】
2020160895.tif 000021
【図２０】
2020160895.tif 000022
【図２１】
2020160895.tif 000023
【図２２】
2020160895.tif 000024
【図２３】
2020160895.tif 000025
【図２４】
2020160895.tif 000026
【図２５】
2020160895.tif 000027
【図２６】
2020160895.tif 000028
【図２７】
2020160895.tif 000029
【図２８】
2020160895.tif 000030
【図２９】
2020160895.tif 000031
【図３０】
2020160895.tif 000032
【図３１】
2020160895.tif 000033
【図３２】
2020160895.tif 000034
【図３３】
2020160895.tif 000035
【図３４】
2020160895.tif 000036
【図３５】
2020160895.tif 000037
【図３６】
2020160895.tif 000038
【図３７】
2020160895.tif 000039
【図３８】
2020160895.tif 000040
【図３９】
2020160895.tif 000041
【図４０】
2020160895.tif 000042
【図４１】
2020160895.tif 000043
【図４２】
2020160895.tif 000044
【図４３】
2020160895.tif 000045